(57)【要約】【課題】輝度ムラを抑制する。【解決手段】バックライト装置１２は、ＬＥＤ１６と、一端面が光入射面１９ｂとされ、一方の板面が光出射面１９ａとされ、他方の板面が反対板面１９ｃとされる導光板１９と、導光板１９を反対板面１９ｃ側から支持する導光板支持部３１と、導光板１９を反対板面１９ｃ側から支持しない導光板非支持部３０とを有する底板部１４ａを有するシャーシ１４と、導光板１９の光入射面１９ｂよりもＬＥＤ１６側に延出する延出反射部２０ａを有するとともに、延出反射部２０ａのうち導光板非支持部３０と重畳する部分の少なくとも一部を切り欠いて形成される切欠部３２を有する反射シート２０と、を備える。【選択図】図７
2015011859.tif 000002
【特許請求の範囲】
【請求項１】
光源と、
板状をなす導光板であって、少なくとも一端面が前記光源からの光が入射される光入射面とされ、一方の板面が光を出射させる光出射面とされ、さらには他方の板面が前記光出射面とは反対側の反対板面とされる導光板と、
前記導光板を前記反対板面側から支持する導光板支持部と、前記導光板を前記反対板面側から支持しない導光板非支持部とを有してなる底板部を有するシャーシと、
前記導光板の前記反対板面と前記シャーシの前記底板部との間に介在する形で配されるとともに前記導光板からの光を前記光出射面側に反射させる反射部材であって、前記導光板の前記光入射面よりも前記光源側に延出する延出反射部を有するとともに、前記延出反射部のうち前記導光板非支持部と重畳する部分の少なくとも一部を切り欠いて形成される切欠部を有する反射部材と、を備える照明装置。
【請求項２】
前記反射部材は、前記切欠部の切欠縁部が前記光入射面と面一状または前記光入射面よりも前記光源側とは反対側に配されるよう形成されている請求項１記載の照明装置。
【請求項３】
前記反射部材は、前記切欠部の切欠縁部が前記光入射面よりも前記光源側とは反対側に配されるよう形成されている請求項２記載の照明装置。
【請求項４】
前記導光板非支持部は、その端部が前記光入射面よりも前記光源側とは反対側に配されるよう形成されており、
前記反射部材は、前記切欠部の切欠縁部が前記導光板非支持部の前記端部よりも前記光入射面側に配されるよう形成されている請求項２または請求項３記載の照明装置。
【請求項５】
前記反射部材は、前記切欠部における前記光入射面に沿う方向についての寸法が前記光源から遠ざかるに連れて連続的に小さくなるよう形成されている請求項１から請求項４のいずれか１項に記載の照明装置。
【請求項６】
前記反射部材は、前記切欠部における前記光入射面に沿う方向についての形成範囲が前記導光板非支持部における同形成範囲よりも広くなるよう形成されている請求項５記載の照明装置。
【請求項７】
前記反射部材は、前記切欠部における前記光入射面に沿う方向についての形成範囲が、前記切欠部における前記光源から前記光入射面に向かう方向についての形成範囲よりも広くなるよう形成されている請求項１から請求項６のいずれか１項に記載の照明装置。
【請求項８】
前記導光板非支持部は、前記底板部に開口する開口部からなる請求項１から請求項７のいずれか１項に記載の照明装置。
【請求項９】
前記光源が実装された光源基板と、前記光源基板の前記光源に給電するための給電部とを備えており、
前記底板部は、前記開口部が前記給電部を外部に露出させるよう形成されている請求項８記載の照明装置。
【請求項１０】
前記光源基板は、前記光源が実装される光源実装部と、前記光出射面側から前記反対板面側に向かう方向に沿って前記光源実装部から突出するとともに前記給電部が配される給電用突出部とを有しており、
前記底板部は、前記開口部が前記給電部及び前記給電用突出部を外部に露出させるよう形成されている請求項９記載の照明装置。
【請求項１１】
前記底板部は、前記開口部の開口縁部が前記光入射面よりも前記光源側とは反対側に配されるよう形成されている請求項１０記載の照明装置。
【請求項１２】
前記導光板非支持部は、前記底板部を前記導光板側とは反対側に凹ませることで形成された凹状部と、前記底板部のうち前記凹状部に隣り合うとともに前記導光板の前記反対板面との間の距離が前記導光板支持部における同距離よりも相対的に大きな変形部と、からなる請求項１から請求項７のいずれか１項に記載の照明装置。
【請求項１３】
前記底板部に対して前記導光板側とは反対側に配されるとともに前記凹状部に取り付けられる基板を備える請求項１２記載の照明装置。
【請求項１４】
請求項１から請求項１３のいずれか１項に記載された照明装置と、前記照明装置からの光を利用して画像を表示する表示パネルを備える表示装置。
【請求項１５】
請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の一層の薄型化を実現するには、導光板を備えたエッジライト型のバックライト装置を用いるのが好ましく、その一例として下記特許文献１に記載されたものが知られている。
【先行技術文献】
【特許文献】
【０００３】
【特許文献１】特開２００７−２６５８８２号公報
【発明の概要】
【発明が解決しようとする課題】
【０００４】
上記した特許文献１に記載されたエッジライト方式のバックライトユニットは、導光板と、導光板の側面側に配置される冷陰極蛍光ランプと、導光板の背面側に配置される反射シートと、反射シートを背面から支持すると共に冷陰極蛍光ランプを覆い、冷陰極蛍光ランプからの光を導光板に反射させるリフレクターとを備えており、このうちリフレクターに設けた凸形状部によって反射シートを導光板の稜線に強制的に接触させることで、導光板の稜線における光の乱反射を抑制している。
【０００５】
しかしながら、上記のような凸形状部をリフレクターに設けるのが設計上困難な場合があり、逆に設計の都合からリフレクターに孔部や凹部が形成されると、導光板及び反射シートが部分的に支持されなくなってしまう。そうなると、反射シートのうち孔部や凹部と重畳する部分が導光板から離れてしまい、冷陰極蛍光ランプからの光が反射シートの上記離れた部分にて反射されて導光板の背面に直接入射してそのまま導光板の正面から出射することで、局所的な明部を生じさせ、輝度ムラとなるおそれがあった。
【０００６】
本発明は上記のような事情に基づいて完成されたものであって、輝度ムラを抑制することを目的とする。
【課題を解決するための手段】
【０００７】
本発明の照明装置は、光源と、板状をなす導光板であって、少なくとも一端面が前記光源からの光が入射される光入射面とされ、一方の板面が光を出射させる光出射面とされ、さらには他方の板面が前記光出射面とは反対側の反対板面とされる導光板と、前記導光板を前記反対板面側から支持する導光板支持部と、前記導光板を前記反対板面側から支持しない導光板非支持部とを有してなる底板部を有するシャーシと、前記導光板の前記反対板面と前記シャーシの前記底板部との間に介在する形で配されるとともに前記導光板からの光を前記光出射面側に反射させる反射部材であって、前記導光板の前記光入射面よりも前記光源側に延出する延出反射部を有するとともに、前記延出反射部のうち前記導光板非支持部と重畳する部分の少なくとも一部を切り欠いて形成される切欠部を有する反射部材と、を備える。
【０００８】
このようにすれば、光源から発せられた光は、導光板の光入射面に入射してから、光出射面とは反対側の反対板面とシャーシの底板部との間に介在する形で配される反射部材により光出射面側に反射されるなどすることで導光板内を伝播され、やがて光出射面から出射される。反射部材は、導光板の光入射面よりも光源側に延出する延出反射部を有しているから、延出反射部により光源からの光を反射することで光入射面への光の入射効率が高められている。一方、シャーシの底板部は、導光板を反対板面側から支持する導光板支持部と、導光板を反対板面側から支持しない導光板非支持部とを有してなるため、延出反射部に導光板非支持部と重畳する部分が含まれていると、その重畳部分が反対板面から離れ易くなり、その離れた部分が光源からの光を反射して反対板面に直接入射させることで、その入射光が光出射面からそのまま出射して局所的な明部、つまり輝度ムラを生じさせるおそれがある。
【０００９】
その点、反射部材には、延出反射部のうち導光板非支持部と重畳する部分の少なくとも一部を切り欠いて切欠部が形成されているから、導光板非支持部に起因して延出反射部に導光板の反対板面から離れる部分が生じ難くなるとともに、光源からの光が延出反射部により反射されて反対板面に直接入射する事態が生じ難くなる。これにより、反対板面に入射した光が光出射面からそのまま出射する事態が生じ難くなるので、光出射面からの出射光に輝度ムラが生じ難くなる。
【００１０】
本発明の照明装置の実施態様として、次の構成が好ましい。
（１）前記反射部材は、前記切欠部の切欠縁部が前記光入射面と面一状または前記光入射面よりも前記光源側とは反対側に配されるよう形成されている。このようにすれば、仮に切欠部の切欠縁部が光入射面よりも光源側に突き出す形で形成された場合に比べると、導光板非支持部に起因して延出反射部に導光板の反対板面から離れる部分がより生じ難くなるとともに、光源からの光が延出反射部により反射されて反対板面に直接入射する事態がより生じ難くなり、もって輝度ムラをより好適に抑制することができる。
【００１１】
（２）前記反射部材は、前記切欠部の切欠縁部が前記光入射面よりも前記光源側とは反対側に配されるよう形成されている。このようにすれば、仮に切欠部の切欠縁部が光入射面と面一状に形成された場合に比べると、寸法公差や組み付け公差などの影響により切欠部の切欠縁部の配置に位置ずれが生じた場合であっても、切欠縁部が光入射面から光源側に突き出す事態が回避される確実性が高くなり、もって輝度ムラの発生を一層好適に抑制することができる。
【００１２】
（３）前記導光板非支持部は、その端部が前記光入射面よりも前記光源側とは反対側に配されるよう形成されており、前記反射部材は、前記切欠部の切欠縁部が前記導光板非支持部の前記端部よりも前記光入射面側に配されるよう形成されている。このようにすれば、仮に切欠部の切欠縁部が導光板非支持部の端部と面一状に形成された場合に、反射部材による反射光量が少なくなるために光の利用効率が低下するのに比べると、反射部材による反射光が十分に確保されて光の利用効率の低下を抑制することができる。なお、切欠部の切欠縁部が導光板非支持部の端部よりも光入射面側に配されると、導光板非支持部に起因して延出反射部に導光板の反対板面から離れる部分が生じ易くなるものの、切欠部の切欠縁部が光入射面と面一状または光入射面よりも光源側とは反対側に配されることで、光入射面から光源側に延出する延出反射部による反射光が導光板の反対板面に直接入射する事態については生じ難くなっているので、輝度ムラについては十分に生じ難いものとされている。
【００１３】
（４）前記反射部材は、前記切欠部における前記光入射面に沿う方向についての寸法が前記光源から遠ざかるに連れて連続的に小さくなるよう形成されている。このようにすれば、反射部材の面積、すなわち反射部材による反射光量が光入射面に沿う方向について連続的に変化することになるので、仮に切欠部における光入射面に沿う方向についての寸法が一定とされた場合や同寸法が光源から遠ざかると段階的に小さくなるよう形成された場合に比べると、切欠部を形成するのに伴って光出射面に生じ得る暗部が視認され難くなり、もって輝度ムラの発生を抑制する上でより好適となる。
【００１４】
（５）前記反射部材は、前記切欠部における前記光入射面に沿う方向についての形成範囲が前記導光板非支持部における同形成範囲よりも広くなるよう形成されている。このようにすれば、切欠部が光入射面に沿う方向について導光板支持部と重畳する範囲にまで拡張されているから、延出反射部における導光板非支持部との重畳部分と、導光板支持部との重畳部分との間で、反射光量が連続的に変化することになる。これにより、切欠部を形成するのに伴って光出射面に生じ得る暗部がより視認され難くなり、もって輝度ムラの発生を抑制する上で一層好適となる。また、寸法公差や組み付け公差などの影響により切欠部の配置に位置ずれが生じた場合であっても、切欠部が光入射面に沿う方向について導光板非支持部に対して適切に重畳する形で配され易くなるので、切欠部による輝度ムラの抑制効果がより確実に得られる。
【００１５】
（６）前記反射部材は、前記切欠部における前記光入射面に沿う方向についての形成範囲が、前記切欠部における前記光源から前記光入射面に向かう方向についての形成範囲よりも広くなるよう形成されている。このようにすれば、寸法公差や組み付け公差などの影響により切欠部の配置に、光入射面に沿う方向について位置ずれが生じた場合であっても、切欠部が光入射面に沿う方向について導光板非支持部に対して適切に重畳する形で配され易くなるので、切欠部による輝度ムラの抑制効果がより確実に得られる。ここで、仮に上記のような切欠部の配置に生じ得る位置ずれ対策を行った上で、切欠部における光源から光入射面に向かう方向についての形成範囲を、切欠部における光入射面に沿う方向についての形成範囲よりも広くした場合や同じにした場合には、切欠部における光源から光入射面に向かう方向についての形成範囲が過大になりがちとなり、反射部材による反射光量が少なくなるために光の利用効率が低下するおそれがある。これに比べると、切欠部における光入射面に沿う方向についての形成範囲を、切欠部における光源から光入射面に向かう方向についての形成範囲よりも広くすれば、光の利用効率を十分に確保しつつも上記のように切欠部による輝度ムラの抑制効果を得る確実性が高いものとなる。
【００１６】
（７）前記導光板非支持部は、前記底板部に開口する開口部からなる。このようにすれば、仮に底板部を凹ませて形成された凹部が導光板非支持部をなす場合に比べると、導光板非支持部である開口部に起因して延出反射部に導光板の反対板面から離れる部分が生じ易くなり且つその離れる距離が大きくなる傾向にあるものの、反射部材に切欠部が形成されることで、そのような問題が生じ難くなり、輝度ムラを効果的に抑制することができる。
【００１７】
（８）前記光源が実装された光源基板と、前記光源基板の前記光源に給電するための給電部とを備えており、前記底板部は、前記開口部が前記給電部を外部に露出させるよう形成されている。このようにすれば、開口部が底板部において給電部を外部に露出させる形で形成されることで、給電部を開口部に容易に通すことができる。このように、給電部を通すのを許容する開口部は、底板部のうち光源基板及び導光板の光入射面の近くに配されるため、必然的に反射部材の延出反射部とも重畳する形で配され易くなっている。そうであっても、反射部材に切欠部が形成されることで、導光板非支持部である開口部に起因して延出反射部に導光板の反対板面から離れる部分が生じ難くなるとともに、光源からの光が延出反射部により反射されて反対板面に直接入射する事態が生じ難くなり、もって輝度ムラを効果的に抑制することができる。
【００１８】
（９）前記光源基板は、前記光源が実装される光源実装部と、前記光出射面側から前記反対板面側に向かう方向に沿って前記光源実装部から突出するとともに前記給電部が配される給電用突出部とを有しており、前記底板部は、前記開口部が前記給電部及び前記給電用突出部を外部に露出させるよう形成されている。このようにすれば、仮に給電部を光源実装部の一部に配置すると、光源実装部に光源の非配置部分が生じるのに比べると、給電部が配される給電用突出部を、光出射面側から反対板面側に向かう方向に沿って光源実装部から突出する形で設けることで、光源実装部に上記のような光源の非配置部分が生じることが避けられるから、導光板の光入射面に光源からの照射光量が局所的に少なくなる部分が生じ難くなる。これにより、当該照明装置の狭額縁化が進行し、光源と光入射面との位置関係がより近くなった場合でも、光出射面からの出射光に暗部が生じ難くなり、もって狭額縁化に伴う輝度ムラの発生を抑制することができる。しかも、光出射面側から反対板面側に向かう方向に沿って光源実装部から突出する給電用突出部、及びそこに配された給電部が、底板部に形成された開口部により外部に露出されているので、給電部を開口部に通す際の作業性についても十分に高いものとなる。
【００１９】
（１０）前記底板部は、前記開口部の開口縁部が前記光入射面よりも前記光源側とは反対側に配されるよう形成されている。このようにすれば、光源実装部からの給電用突出部の突出寸法が小さくても、開口縁部が光入射面よりも光源側とは反対側に配されるよう、開口部の形成範囲が十分に広く確保されることで、開口部に給電部を通す作業の作業性が良好なものとなる。そして、光源実装部からの給電用突出部の突出寸法が小さくされることで、当該照明装置の薄型化を図ることができる。
【００２０】
（１１）前記導光板非支持部は、前記底板部を前記導光板側とは反対側に凹ませることで形成された凹状部と、前記底板部のうち前記凹状部に隣り合うとともに前記導光板の前記反対板面との間の距離が前記導光板支持部における同距離よりも相対的に大きな変形部と、からなる。底板部に導光板側とは反対側に凹む凹状部が形成されると、それに伴って底板部には歪みや撓みによる変形部が形成される場合があり、そのような変形部は、底板部のうち凹状部に隣り合う位置に配される。従って、例えば凹状部が反射部材の延出反射部とは非重畳となる位置に形成された場合でも、底板部のうち反射部材の延出反射部と重畳する位置に変形部が形成される場合がある。変形部は、導光板の反対板面との間の距離が、導光板支持部における同距離よりも相対的に大きくなっているものの、反射部材に切欠部が形成されることで、導光板非支持部である変形部に起因して延出反射部に導光板の反対板面から離れる部分が生じ難くなるとともに、光源からの光が延出反射部により反射されて反対板面に直接入射する事態が生じ難くなり、もって輝度ムラを効果的に抑制することができる。
【００２１】
（１２）前記底板部に対して前記導光板側とは反対側に配されるとともに前記凹状部に取り付けられる基板を備える。このようにすれば、底板部に対して導光板側とは反対側に配される基板を、凹状部を利用して取り付けることができる。言い換えると、基板を取り付けるため、底板部に凹状部を形成するのに伴って底板部に変形部が形成されても、反射部材に切欠部が形成されることで、変形部に起因する輝度ムラを効果的に抑制することができる。
【００２２】
本発明の表示装置は、上記した照明装置と、前記照明装置からの光を利用して画像を表示する表示パネルを備える。このような表示装置によれば、照明装置が輝度ムラの抑制されたものであるから、表示パネルに表示される画像に係る表示品位が良好なものとなるとともに大画面化に好適とされる。
【００２３】
本発明のテレビ受信装置は、上記した表示装置を備える。このようなテレビ受信装置によれば、表示装置に備えられる照明装置が輝度ムラの抑制されたものであるから、表示パネルに表示されるテレビ画像に係る表示品位が良好なものとなるとともに大画面化に好適とされる。
【発明の効果】
【００２４】
本発明によれば、輝度ムラを抑制することができる。
【図面の簡単な説明】
【００２５】
【図１】本発明の実施形態１に係るテレビ受信装置の概略構成を示す分解斜視図
【図２】液晶表示装置の概略構成を示す分解斜視図
【図３】液晶表示装置を短辺方向に沿って切断した断面構成を示す断面図
【図４】液晶表示装置に備えられるバックライト装置の平面図
【図５】液晶表示装置に備えられるバックライト装置の底面図
【図６】図４の要部拡大平面図
【図７】図６のvii-vii線断面図
【図８】図７のviii-viii線断面図
【図９】切欠部が形成されていない反射シートを備えた比較例に係る液晶表示装置の断面図
【図１０】本発明の実施形態２に係るバックライト装置の要部拡大平面図
【図１１】図１０のxi-xi線断面図
【図１２】本発明の実施形態３に係るバックライト装置の要部拡大平面図
【図１３】本発明の実施形態４に係るバックライト装置の要部拡大平面図
【図１４】本発明の実施形態５に係るバックライト装置の要部拡大平面図
【図１５】本発明の実施形態６に係るバックライト装置の要部拡大平面図
【図１６】本発明の実施形態７に係るバックライト装置の要部拡大平面図
【図１７】図１６のxvii-xvii線断面図
【図１８】本発明の実施形態８に係るバックライト装置の要部拡大平面図
【図１９】図１８のxix-xix線断面図
【図２０】本発明の実施形態９に係るバックライト装置の要部拡大平面図
【図２１】図２０のxxi-xxi線断面図
【図２２】本発明の実施形態１０に係る液晶表示装置を、切欠部を通る位置にて短辺方向に沿って切断した断面構成を示す断面図
【図２３】本発明の実施形態１１に係る液晶表示装置を短辺方向に沿って切断した断面構成を示す断面図
【図２４】液晶表示装置を、切欠部を通る位置にて短辺方向に沿って切断した断面構成を示す断面図
【図２５】本発明の実施形態１２に係る液晶表示装置を、切欠部を通る位置にて短辺方向に沿って切断した断面構成を示す断面図
【図２６】本発明の実施形態１３に係る液晶表示装置を、切欠部を通る位置にて短辺方向に沿って切断した断面構成を示す断面図
【図２７】本発明の実施形態１４に係る液晶表示装置を、切欠部を通る位置にて短辺方向に沿って切断した断面構成を示す断面図
【図２８】本発明の他の実施形態（１）に係るバックライト装置の要部拡大平面図
【図２９】本発明の他の実施形態（２）に係るバックライト装置の要部拡大平面図
【発明を実施するための形態】
【００２６】
＜実施形態１＞
本発明の実施形態１を図１から図９によって説明する。本実施形態では、液晶表示装置１０について例示する。なお、各図面の一部にはＸ軸、Ｙ軸及びＺ軸を示しており、各軸方向が各図面で示した方向となるように描かれている。また、図３，図７及び図８に示す上側を表側とし、同図下側を裏側とする。
【００２７】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナＴと、スタンドＳとを備えて構成される。液晶表示装置（表示装置）１０は、全体として横長の方形をなしており、図２に示すように、表示パネルである液晶パネル１１と、液晶パネル１１に照明光を供給する照明装置であるバックライト装置（照明装置）１２と、液晶パネル１１を表側から支持するとともにバックライト装置１２との間で液晶パネル１１を挟み込んで保持する第１フレーム１３と、を少なくとも備えている。このうち、液晶パネル１１は、画像を表示する表示面が表側を向いた姿勢で液晶表示装置１０に組み付けられている。第１フレーム１３は、金属製（例えばアルミニウム製）とされており、全体としては液晶パネル１１の外周端部に沿って延在する枠状（額縁状）に形成されている。第１フレーム１３は、液晶パネル１１の外周端部に倣う形で延在するとともに平面に視て長方形の枠状をなす第１フレーム本体（枠状部）１３ａと、第１フレーム本体１３ａの外周端部に連なるとともにバックライト装置１２を外周側から取り囲む第１フレーム環状部（筒状部）１３ｂとを有してなる。
【００２８】
先に液晶パネル１１について説明する。液晶パネル１１は、図２に示すように、平面に視て横長の方形をなしており、透光性に優れた一対のガラス製の基板が所定のギャップを隔てた状態で貼り合わせられるとともに、両基板間に液晶が封入された構成とされる。一方の基板（アレイ基板）には、互いに直交するソース配線とゲート配線とに接続されたスイッチング素子（例えばＴＦＴ）と、そのスイッチング素子に接続された画素電極、さらには配向膜等が設けられ、他方の基板（ＣＦ基板）には、Ｒ（赤色），Ｇ（緑色），Ｂ（青色）等の各着色部が所定配列で配置されたカラーフィルタや対向電極、さらには配向膜等が設けられている。この液晶パネル１１は、画面中央側にあって画像が表示可能な表示領域（アクティブエリア）と、画面外周端側にあって表示領域の周りを取り囲む枠状（額縁状）をなす非表示領域（ノンアクティブエリア）とに区分されている。なお、一対の基板の外面側には、表裏一対の偏光板がそれぞれ貼り付けられている。
【００２９】
次にバックライト装置１２について説明する。バックライト装置１２は、図２及び図３に示すように、底板部１４ａを有するシャーシ１４と、光源であるＬＥＤ（Ｌｉｇｈｔ  Ｅｍｉｔｔｉｎｇ  Ｄｉｏｄｅ：発光ダイオード）１６などを備えてなるＬＥＤユニット（光源ユニット）ＬＵと、シャーシ１４の底板部１４ａ上に載置されてＬＥＤユニットＬＵからの光を導光する導光板１９と、導光板１９と底板部１４ａとの間に介在する形で配される反射シート（反射部材）２０と、導光板１９を表側から支持するとともにシャーシ１４との間で導光板１９及び反射シート２０を挟み込んで保持する第２フレーム２１と、液晶パネル１１と導光板１９との間に介在する形で配される光学シート（光学部材）１５と、を少なくとも備えている。ＬＥＤユニットＬＵは、ＬＥＤ１６と、ＬＥＤ１６が実装されたＬＥＤ基板（光源基板）１７と、ＬＥＤ基板１７が取り付けられる放熱部材１８と、からなる。このバックライト装置１２は、その長辺側の両端部のうちの一方（図２に示す奥側、図３に示す右側）の端部に、一対のＬＥＤユニットＬＵが配されており、それらのＬＥＤユニットＬＵにそれぞれ備えられる複数ずつのＬＥＤ１６が液晶パネル１１における長辺側の一端部寄りに偏在していることになる。このように、本実施形態に係るバックライト装置１２は、導光板１９に対して片側からのみ入光される片側入光タイプのエッジライト型（サイドライト型）とされている。一対のＬＥＤユニットＬＵは、導光板１９の長辺方向に沿って互いに隣り合う形で配されている。以下では、バックライト装置１２の各構成部品について詳しく説明する。
【００３０】
シャーシ１４は、例えばアルミニウムなどの金属製とされており、仮に合成樹脂製とした場合に比べると、熱伝導性が高いものとされる。シャーシ１４は、図２及び図３に示すように、導光板１９及び反射シート２０を裏側から概ね全域にわたって覆うことが可能な底板部１４ａを有している。底板部１４ａは、導光板１９の板面に沿って延在する略平板状をなすとともに導光板１９及び反射シート２０と同様に横長の方形に形成されており、その平面に視た大きさ（長辺寸法及び短辺寸法）が導光板１９及び反射シート２０の同大きさよりも大きなものとされる。底板部１４ａは、その長辺方向がＸ軸方向と、短辺方向がＹ軸方向と、板厚方向がＺ軸方向とそれぞれ一致する姿勢とされる。底板部１４ａにおける一対の長辺側の外端部のうち、ＬＥＤユニットＬＵ側（図２に示す奥側、図３に示す右側）の外端部からは、Ｚ軸方向に沿って裏側に向けて突出する形で第１側板部１４ｂが設けられているのに対し、ＬＥＤユニットＬＵ側とは反対側（図２に示す手前側、図３に示す左側）の外端部からは、Ｚ軸方向に沿って表側（第１側板部１４ｂとは反対側）に向けて立ち上がる形で第２側板部１４ｃが設けられている。これら第１側板部１４ｂ及び第２側板部１４ｃは、それぞれ底板部１４ａの各長辺側の外端部からほぼ直角に屈曲されており、その板面が底板部１４ａの板面と直交し且つ底板部１４ａの長辺方向（Ｘ軸方向）に並行している。そして、第１側板部１４ｂ及び第２側板部１４ｃは、底板部１４ａにおいてその長辺方向に沿って概ね全長（第１側板部１４ｂに関しては、後述するシャーシ側開口部２８を除く）にわたって延在する形で配されているので、底板部１４ａにおける機械的強度の補強を図ることができ、特に底板部１４ａに短辺方向に沿う撓みや反りなどの変形を生じ難くすることができる。
【００３１】
光学シート１５は、図２及び図３に示すように、液晶パネル１１と同様に平面に視て横長の方形状をなしており、平面に視た大きさ（短辺寸法及び長辺寸法）が液晶パネル１１よりも一回り小さなものとされる。光学シート１５は、液晶パネル１１と導光板１９との間に介在する形で配されることで、導光板１９からの出射光を透過するとともにその透過光に所定の光学作用を付与しつつ液晶パネル１１に向けて出射させる。光学シート１５は、導光板１９よりも厚さが薄いシート状をなすとともに複数枚（本実施形態では２枚）が互いにほぼ隙間無く積層されることで光学シート１５群を構成しており、この光学シート１５群が、液晶パネル１１の裏側の板面との間と、導光板１９の表側の板面（光出射面１９ａ）との間と、にそれぞれ所定の隙間を空けた形で介設されている。具体的な光学シート１５の種類としては、例えば拡散シート、レンズシート、反射型偏光シートなどがあり、これらの中から適宜に選択して使用することが可能である。
【００３２】
次に、ＬＥＤユニットＬＵを構成するＬＥＤ１６、ＬＥＤ基板１７及び放熱部材１８の構成について順次に説明する。ＬＥＤ１６は、図２及び図３に示すように、ＬＥＤ基板１７に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１６は、ＬＥＤ基板１７に対する実装面とは反対側の面が主発光面１６ａとなる、いわゆる頂面発光型とされている。ＬＥＤ１６は、主発光面１６ａが正面から視て横長な（Ｘ軸方向に沿って細長い）略方形状をなしており（図８を参照）、その短辺寸法が導光板１９の板厚寸法と同じかそれよりも少し小さくされている。
【００３３】
ＬＥＤ基板１７は、図２及び図３に示すように、一対のＬＥＤユニットＬＵにそれぞれ１枚ずつ備えられている。ＬＥＤ基板１７は、全体としてはシャーシ１４の長辺方向（Ｘ軸方向、導光板１９における光入射面１９ｂの長手方向）に沿って延在する細長い板状をなすとともに、その板面をＸ軸方向及びＺ軸方向に並行した姿勢、つまり液晶パネル１１及び導光板１９（光学シート１５）の板面と直交させた姿勢で放熱部材１８に取り付けられるとともにバックライト装置１２内に収容されている。ＬＥＤ基板１７は、ＬＥＤ１６が実装される実装面とは反対側の板面が放熱部材１８に接する形で取り付けられており、導光板１９における長辺側の端部（光入射面１９ｂ）に対して所定の配置間隔を空けつつ図３に示す右側に並んで配されている。従って、ＬＥＤ１６及びＬＥＤ基板１７と導光板１９との並び方向は、Ｙ軸方向とほぼ一致しており、各ＬＥＤ１６における光軸、つまり発光強度が最も高い光の進行方向がＹ軸方向（液晶パネル１１の板面に並行する方向）とほぼ一致している。
【００３４】
詳しくは、ＬＥＤ基板１７は、図２及び図３に示すように、Ｘ軸方向に沿って延在するとともに複数のＬＥＤ１６が実装されるＬＥＤ実装部（光源実装部）１７ａと、ＬＥＤ実装部１７ａからＺ軸方向に沿って裏側に突出するとともにＬＥＤ１６に対する給電のための基板側コネクタ（給電部）２２が実装された給電用突出部１７ｂと、を有してなる。ＬＥＤ実装部１７ａは、その長辺方向（長さ方向）がＸ軸方向と、短辺方向（幅方向）がＺ軸方向とそれぞれ一致し、さらには板面と直交する板厚方向がＹ軸方向と一致した姿勢とされており、その長さ寸法が導光板１９の長辺寸法の約半分程度とされるのに対し、幅寸法が導光板１９の板厚寸法よりもやや大きい程度とされる。ＬＥＤ実装部１７ａは、その内側、つまり導光板１９側を向いた板面（導光板１９との対向面）が、ＬＥＤ１６が表面実装された実装面とされている。ＬＥＤ１６は、ＬＥＤ実装部１７ａの実装面において、その長さ方向（Ｘ軸方向）に沿って複数が所定の配置間隔を空けつつ一列に（直線的に）並んで配置されている。つまり、ＬＥＤ１６は、バックライト装置１２における長辺側の一方の端部において長辺方向に沿って複数が間欠的に並んで配置されている、と言える。従って、ＬＥＤ１６の並び方向は、ＬＥＤ基板１７及び導光板１９の長さ方向（Ｘ軸方向）と一致していることになる。ＬＥＤ１６の並び方向であるＸ軸方向について隣り合うＬＥＤ１６間の間隔、つまりＬＥＤ１６の配列間隔（配列ピッチ）は、ほぼ等しいものとされる。ＬＥＤ実装部１７ａの実装面には、金属膜（銅箔など）からなり、Ｘ軸方向に沿って延在することで各ＬＥＤ１６の端子に接続される配線パターン（図示せず）が形成されている。
【００３５】
給電用突出部１７ｂは、図７及び図８に示すように、ＬＥＤ実装部１７ａにおける長さ方向の中央部に連なる形で設けられており、ＬＥＤ実装部１７ａから後述する放熱部材１８の底壁部１８ａ２に向かう方向（導光板１９における光出射面１９ａから反対板面１９ｃに向かう方向）に沿って突出している。つまり、ＬＥＤ基板１７は、正面から視て略Ｔ字型をなしている。給電用突出部１７ｂは、正面から視て横長の方形をなしており、その長辺方向がＸ軸方向と、短辺方向（ＬＥＤ実装部１７ａからの突出方向）がＺ軸方向とそれぞれ一致し、さらには板面と直交する板厚方向がＹ軸方向と一致した姿勢とされており、その長さ寸法がＬＥＤ実装部１７ａよりも十分に小さいものとされる。給電用突出部１７ｂは、その内側を向いた板面、つまりＬＥＤ実装部１７ａにおける実装面と同じ側の板面が、基板側コネクタ２２が表面実装された実装面とされている。この給電用突出部１７ｂの実装面には、ＬＥＤ実装部１７ａの実装面に形成された配線パターンが引き続き形成されるとともに、その配線パターンの端部に位置して基板側コネクタ２２が実装されている。基板側コネクタ２２は、Ｘ軸方向に沿って一方（図８に示す右側）に開口した略筒状をなす合成樹脂製の基板側ハウジング２２ａと、基板側ハウジング２２ａ内に収容されて上記配線パターンの端部に接続される基板側端子金具（図示せず）とからなるものとされている。この基板側コネクタ２２には、図示しないＬＥＤ駆動回路基板に接続された配線部材２４の端末に設けられた配線側コネクタ（給電部）２３が嵌合接続可能とされており、その嵌合方向がＸ軸方向と一致している。具体的には、配線側コネクタ２３は、接続時には基板側コネクタ２２に対してＸ軸方向に沿って図８に示す右側から左側へ嵌合され、取り外し時には、逆にＸ軸方向に沿って図８に示す左側から右側へ離脱されるようになっている。このように配線側コネクタ２３が基板側コネクタ２２に嵌合接続されることで、ＬＥＤ駆動回路基板からの電力を各ＬＥＤ１６に供給することが可能とされる。この基板側コネクタ２２に嵌合接続される配線側コネクタ２３は、Ｘ軸方向を長さ方向とした略ブロック状をなす合成樹脂製の配線側ハウジング２３ａと、配線側ハウジング２３ａ内に収容されて配線部材２４の端末に接続される配線側端子金具（図示せず）とからなるものとされている。なお、このＬＥＤ基板１７の基材は、例えばアルミニウムなどの金属製とされ、その表面に絶縁層を介して既述した配線パターンが形成されている。なお、ＬＥＤ基板１７の基材に用いる材料としては、合成樹脂やセラミックなどの絶縁材料を用いることも可能である。
【００３６】
ここで、ＬＥＤ基板１７の配線パターンについて詳しく説明する。すなわち、本実施形態に係るＬＥＤ基板１７のＬＥＤ実装部１７ａに実装されたＬＥＤ１６群は、その並列方向（Ｘ軸方向）について図８に示す左右２つのグループに分けられるとともに各グループに応じて配索形成された２系統の配線パターンに接続されている。これにより、仮に系統数を１つとした場合に比べて、各グループに属するＬＥＤ１６群を駆動するのに要する電圧値を低くすることができる。配線パターンの具体的な配索経路を説明すると、２系統の各配線パターンは、基板側コネクタ２２に接続された端部を始点とし、そこからＬＥＤ実装部１７ａのうち給電用突出部１７ｂに連なる長さ方向の中央部から、ＬＥＤ実装部１７ａの長さ方向の一方側と他方側とに分かれる形でそれぞれ配索されており、各グループに含まれるＬＥＤ１６を並列に接続している。このように、ＬＥＤ実装部１７ａにおける長さ方向の中央部に給電用突出部１７ｂを連ねる構成とした上で、２系統の配線パターンを、ＬＥＤ実装部１７ａの長さ方向（Ｘ軸方向）の中央側から両側に分かれるよう配索することで、ＬＥＤ実装部１７ａにおいてその幅方向（Ｚ軸方向）に沿って各配線パターンが並ぶことが避けられるので、ＬＥＤ実装部１７ａの幅寸法を小さくすることができる。これにより、バックライト装置１２並びに液晶表示装置１０の薄型化にも資する。
【００３７】
放熱部材１８は、例えばアルミニウムなどの熱伝導性に優れた金属製とされており、図３及び図４に示すように、一対のＬＥＤユニットＬＵにそれぞれ１つずつ備えられている。放熱部材１８は、全体として導光板１９の長辺方向に沿って延在しており、その長さ寸法がＬＥＤ基板１７の長さ寸法とほぼ同じで、導光板１９の長辺寸法の約半分程度とされる。この放熱部材１８は、シャーシ１４における一方の長辺側の端部に対して取り付けられるとともに、バックライト装置１２の外部に露出する形で配置されることで、ＬＥＤ１６からＬＥＤ基板１７を介して伝達された熱を、シャーシ１４の底板部１４ａに伝達させたり、バックライト装置１２の外部に存在する外気に伝達させることで、ＬＥＤ１６の放熱を促進することが可能とされる。
【００３８】
放熱部材１８は、図３に示すように、ＬＥＤ基板１７を収容する基板収容部１８ａと、基板収容部１８ａからシャーシ１４の底板部１４ａ側に向けて延出して底板部１４ａに接触されるシャーシ側放熱部１８ｂとからなる。このうち、基板収容部１８ａは、ＬＥＤ基板１７が取り付けられる基板取付部１８ａ１と、基板取付部１８ａ１における裏側の端部からシャーシ１４側に向けて突出する底壁部１８ａ２と、底壁部１８ａ２における基板取付部１８ａ１からの突出端部から表側に向けて立ち上がるとともに基板取付部１８ａ１との間に所定の間隔を空けて対向状をなす側壁部１８ａ３とからなる。ＬＥＤ基板１７は、基板収容部１８ａを構成する基板取付部１８ａ１と側壁部１８ａ３との間に有される空間内に収容されるとともに、基板取付部１８ａ１に対して取り付けられている。基板取付部１８ａ１は、その板面がＬＥＤ基板１７の板面に並行する板状をなしており、その長さ方向がＸ軸方向と、幅方向がＺ軸方向と、板厚方向がＹ軸方向とそれぞれ一致している。底壁部１８ａ２は、基板取付部１８ａ１に対してほぼ直角に屈曲されるとともにその板面がシャーシ１４の底板部１４ａの板面に並行する板状をなしている。側壁部１８ａ３は、底壁部１８ａ２に対してほぼ直角に屈曲されるとともにその板面が基板取付部１８ａ１及びＬＥＤ基板１７の各板面に並行する板状をなしている。側壁部１８ａ３の幅寸法（底壁部１８ａ２からの立ち上がり寸法）は、基板取付部１８ａ１の幅寸法よりも小さなものとされる。この側壁部１８ａ３とＬＥＤ基板１７との間に有される空間には、シャーシ１４の第１側板部１４ｂが収容されており、その第１側板部１４ｂにおけるＬＥＤ基板１７側とは反対側の板面が側壁部１８ａ３に当接または近接する形で配されている。
【００３９】
シャーシ側放熱部１８ｂは、図３に示すように、その板面がシャーシ１４の底板部１４ａ及び底壁部１８ａ２の板面に並行する板状をなしており、その長さ方向がＸ軸方向と、幅方向がＹ軸方向と、板厚方向がＺ軸方向とそれぞれ一致している。シャーシ側放熱部１８ｂは、その幅寸法（側壁部１８ａ３からの突出寸法）が底壁部１８ａ２及び側壁部１８ａ３の各幅寸法よりも大きなものとされる。そして、シャーシ側放熱部１８ｂは、シャーシ１４の底板部１４ａにおける長辺側の一端部を裏側から覆うとともに、その表側の板面がほぼ全域にわたって底板部１４ａの裏側の板面に対して面接触されているので、ＬＥＤ１６からＬＥＤ基板１７及び基板収容部１８ａを介して伝達された熱を、底板部１４ａに対して効率的に伝達させることができ、もってＬＥＤ１６の放熱を促進することが可能とされている。しかも、シャーシ側放熱部１８ｂの全域がバックライト装置１２の裏側外部に露出するとともに、基板収容部１８ａの大部分（基板取付部１８ａ１の一部を除いた部分）がバックライト装置１２の裏側外部に露出しているので、これらが外気によって空冷され、もってＬＥＤ１６の放熱をさらに促進することができる。
【００４０】
導光板１９は、屈折率が空気よりも十分に高く且つほぼ透明な（透光性に優れた）合成樹脂材料（例えばＰＭＭＡなどのアクリル樹脂やポリカーボネートなど）からなる。導光板１９は、図２及び図３に示すように、液晶パネル１１及び光学シート１５と同様に平面に視て横長の方形状をなしており、その板面における長辺方向がＸ軸方向と、短辺方向がＹ軸方向とそれぞれ一致し、且つ板面と直交する板厚方向がＺ軸方向と一致している。導光板１９は、光学シート１５の裏側に所定の間隔を空けて対向状に配されている。導光板１９は、シャーシ１４内において液晶パネル１１及び光学シート１５の直下位置に配されており、その外周端面のうちの長辺側の一端面がＬＥＤユニットＬＵが有するＬＥＤ１６と対向状をなしている。従って、ＬＥＤ１６（ＬＥＤ基板１７）と導光板１９との並び方向がＹ軸方向と一致するのに対して、光学シート１５（液晶パネル１１）と導光板１９との並び方向がＺ軸方向と一致しており、両並び方向が互いに直交するものとされる。そして、導光板１９は、ＬＥＤ１６からＹ軸方向に沿って発せられた光を長辺側の端面から導入するとともに、その光を内部で伝播させつつ光学シート１５側（表側、光出射側）へ向くよう立ち上げて板面から出射させる機能を有する。
【００４１】
導光板１９の表裏一対の板面のうち、表側を向いた板面（光学シート１５との対向面）が、図３に示すように、内部の光を光学シート１５及び液晶パネル１１に向けて出射させる光出射面１９ａとなっている。導光板１９における板面に対して隣り合う外周端面のうち、Ｘ軸方向（ＬＥＤ１６の並び方向、ＬＥＤ基板１７の長辺方向）に沿って長手状をなす一対の長辺側の端面のうち、一方（図２に示す奥側、図３に示す右側）の端面は、ＬＥＤ１６（ＬＥＤ基板１７）と所定の空間を空けて対向状をなしており、これがＬＥＤ１６から発せられた光が入射される光入射面１９ｂとなっている。このように光入射面１９ｂとＬＥＤ１６との間に間隔が空けられることで、導光板１９がＬＥＤ１６などからの熱によって熱膨張した場合に、光入射面１９ｂがＬＥＤ１６に干渉する事態を回避することができる。また、光入射面１９ｂと対向する各ＬＥＤ１６との間の距離は、ほぼ同一とされる。この光入射面１９ｂは、ＬＥＤ１６と対向状をなしていることから、「ＬＥＤ対向端面（光源対向端面）」を構成している、とも言える。これに対して、導光板１９における板面に対して隣り合う外周端面のうち、上記した光入射面１９ｂを除いた他の３つの端面（光入射面１９ｂとは反対側の長辺側の端面、及び一対の短辺側の両端面）は、それぞれＬＥＤ１６とは対向しないＬＥＤ非対向端面（光源非対向端面）とされている。また、光入射面１９ｂは、Ｘ軸方向（ＬＥＤ１６の並び方向）及びＺ軸方向、つまりＬＥＤ基板１７の板面に沿って並行する面とされ、光出射面１９ａに対して略直交する面とされる。また、ＬＥＤ１６と光入射面１９ｂとの並び方向は、Ｙ軸方向と一致しており、光出射面１９ａに並行している。
【００４２】
反射シート２０は、図３に示すように、導光板１９における裏側、つまり光出射面１９ａとは反対側の反対板面（シャーシ１４の底板部１４ａとの対向面）１９ｃを覆う形で配されており、反対板面１９ｃから裏側外部に出射した光を反射して表側へ立ち上げることが可能とされる。言い換えると、反射シート２０は、シャーシ１４の底板部１４ａと導光板１９との間に挟まれた形で配されている。反射シート２０は、平面に視た大きさが導光板１９よりもやや大きなものとされており、導光板１９の反対板面１９ｃを概ね全域（詳しくは後述する導光板非支持部３０と重畳する部分のうちの一部を除いた大部分）にわたって覆うことが可能とされる。この反射シート２０は、平面に視た大きさ（長辺寸法及び短辺寸法）が導光板１９よりも大きなものとされる。特に、反射シート２０のうち、導光板１９における光入射面１９ｂ側の端部（一方の長辺側の端部）は、光入射面１９ｂよりも外側、つまりＬＥＤ１６側に向けて延出する延出反射部２０ａとされている。この延出反射部２０ａは、反射シート２０においてその長辺方向（Ｘ軸方向）についてほぼ全長にわたって延在する形で設けられており、言い換えるとＬＥＤ１６の並び方向についてＬＥＤ１６が配置されたＬＥＤ配置領域と、ＬＥＤ１６が配置されないＬＥＤ非配置領域とを跨ぐ形で配置されている。この延出反射部２０ａは、ＬＥＤ基板１７と光入射面１９ｂとの間に有される空間に存在する光を表側に向けて反射することで、光入射面１９ｂに対する光の入射効率を高いものとすることができる。延出反射部２０ａにより反射されて光入射面１９ｂに入射した光は、そのまま光出射面１９ａに向かっても、光出射面１９ａに対する入射角が臨界角を超えるので、光出射面１９ａにより全反射されるとともに導光板１９内をＬＥＤ１６から離れる方向に向けて伝播される（図３において一点鎖線にて表す光路を参照）。また、導光板１９の反対板面１９ｃには、導光板１９内の光を光出射面１９ａに向けて反射させることで光出射面１９ａから出射させるための光反射部からなる光反射パターン（図示せず）が形成されている。この光反射パターンをなす光反射部は、導光板１９の反対板面１９ｃに光反射性材料（例えば酸化チタンなどの金属酸化物を含有する白色を呈するインク）を印刷することで形成される多数のドットからなるものとされており、そのドットの分布密度（反対板面１９ｃにおける単位面積当たりの面積比率）がＹ軸方向について導光板１９の光入射面１９ｂ側の端部からその反対側の端部に近づくほど大きくなるような分布でもって形成されている。
【００４３】
第２フレーム２１は、合成樹脂製とされており、図２及び図３に示すように、全体としては液晶パネル１１の外周端部に沿って延在する枠状（額縁状）に形成されている。第２フレーム２１は、導光板１９の外周端部に倣う形で延在するとともに平面に視て長方形の枠状をなす第２フレーム本体（枠状部）２１ａと、第２フレーム本体２１ａの外周端部に連なるとともにシャーシ１４及びそこに取り付けられた放熱部材１８を外周側から取り囲む第２フレーム環状部（筒状部）２１ｂとを有してなる。第２フレーム本体２１ａは、導光板１９の外周端部に対して表側に対向状に配されるとともに、導光板１９の外周端部を表側からほぼ全周にわたって支持することが可能とされる。第２フレーム本体２１ａの裏側、つまり導光板１９と対向する側の面には、導光板１９の外周端部との間に介在する形で導光板用緩衝材２５が設けられており、それにより導光板１９の緩衝を図ることができる。第２フレーム本体２１ａのうちＬＥＤユニットＬＵと対向状をなす一長辺部は、ＬＥＤユニットＬＵと導光板１９との間に有される空間をほぼ全域にわたって表側から覆う形で配されるとともに、導光板１９における光入射面１９ｂを備える一長辺部との間に導光板用緩衝材２５を介在させる形で有しているから、ＬＥＤ１６から発せられて表側に向かう光を遮ることができ、当該光が導光板１９を介することなく光学シート１５や液晶パネル１１に直接入射する、光漏れを防ぐことができる。
【００４４】
第２フレーム本体２１ａは、図３に示すように、断面形状が３段階の略階段状をなしており、最も高い第１段部２１ａ１が第１フレーム１３の第１フレーム本体１３ａを裏側から支持し、中間の高さの第２段部２１ａ２が液晶パネル１１の外周端部を裏側から支持し、最も低い第３段部２１ａ３が光学シート１５の外周端部を裏側から支持している。このうち、第２段部２１ａ２の表側、つまり液晶パネル１１と対向する側の面には、液晶パネル１１の外周端部との間に介在する形で液晶パネル用緩衝材２６が設けられており、それにより液晶パネル１１の緩衝を図ることができる。第３段部２１ａ３の表側、つまり光学シート１５と対向する側の面には、光学シート１５の外周端部との間に介在する形で光学シート用緩衝材２７が設けられており、それにより光学シート１５の緩衝を図ることができる。
【００４５】
上記のような構成のバックライト装置１２において、シャーシ１４及び放熱部材１８には、図５，図７及び図８に示すように、ＬＥＤ基板１７の基板側コネクタ２２に対して嵌合接続される配線側コネクタ２３を外部から通すため、それぞれシャーシ側開口部２８及び放熱部材側開口部２９が互いに連通するとともに裏側に向けて開口する形で形成されている。これらシャーシ側開口部２８及び放熱部材側開口部２９は、バックライト装置１２内において嵌合接続された基板側コネクタ２２及び配線側コネクタ２３を裏側外部に露出させることが可能とされる。シャーシ側開口部２８及び放熱部材側開口部２９は、平面に視て基板側コネクタ２２及び配線側コネクタ２３と重畳する位置に配されている。これに対し、基板側コネクタ２２及び配線側コネクタ２３は、各ＬＥＤユニットＬＵ毎に１組ずつ、合計２組設けられている。従って、シャーシ側開口部２８及び放熱部材側開口部２９は、Ｘ軸方向についてシャーシ１４における中央位置と両端位置とのほぼ中間位置に１組ずつ配置されている。また、シャーシ側開口部２８及び放熱部材側開口部２９は、Ｙ軸方向についてシャーシ１４におけるＬＥＤユニットＬＵ側の端部に配されている。
【００４６】
このうち、シャーシ側開口部２８は、図５，図７及び図８に示すように、シャーシ１４の底板部１４ａ及び第１側板部１４ｂのうち、放熱部材１８及び各コネクタ２２，２３と平面に視て（底板部１４ａの板面に対する法線方向から視て）重畳する部分の一部を切り欠くことで形成されており、平面に視て方形状をなしている。詳しくは、シャーシ側開口部２８は、図７に示すように、Ｙ軸方向について底板部１４ａにおけるＬＥＤユニットＬＵ側の長辺部と、第１側板部１４ｂとに跨る範囲に形成されることで、Ｚ軸方向に沿って表裏に開口するとともにＹ軸方向に沿ってＬＥＤユニットＬＵ側にも開口している。シャーシ側開口部２８は、Ｙ軸方向についての開口縁部が導光板１９の光入射面１９ｂよりもＬＥＤ１６側とは反対側に引っ込む形で配されている。シャーシ側開口部２８は、図８に示すように、Ｘ軸方向についてＬＥＤ基板１７の給電用突出部１７ｂよりも広範囲に形成されており、詳しくは給電用突出部１７ｂ及び基板側コネクタ２２に対して正面から視て（ＬＥＤ基板１７の板面に対する法線方向から視て）Ｘ軸方向について全域が給電用突出部１７ｂ及び基板側コネクタ２２と重畳するとともに、給電用突出部１７ｂ及び基板側コネクタ２２が図８に示す左寄り（基板側コネクタ２２の開口方向とは反対側の端部寄り）に偏在するよう形成されている。言い換えると、シャーシ側開口部２８は、Ｘ軸方向について図８に示す右側の開口縁部が、給電用突出部１７ｂ及び基板側コネクタ２２との間に一定の間隔（後述する配線側コネクタ２３の配置を許容する程度の間隔）を空けた位置に配されるよう形成されている。シャーシ１４の底板部１４ａにおいて、シャーシ側開口部２８が形成された部分は、導光板１９及び反射シート２０を裏側から支持することができない導光板非支持部３０を構成している、と言える。言い換えると、シャーシ１４の底板部１４ａにおいて、シャーシ側開口部２８が形成されていない開口非形成部分（シャーシ側開口部２８を除いたほぼ全域）は、導光板１９及び反射シート２０を裏側から支持することができる導光板支持部３１を構成している。
【００４７】
放熱部材側開口部２９は、図５，図７及び図８に示すように、放熱部材１８の底壁部１８ａ２、側壁部１８ａ３及びシャーシ側放熱部１８ｂのうち、シャーシ１４及び各コネクタ２２，２３と平面に視て重畳する部分の一部を貫通する孔状に形成されており、平面に視て方形状をなしている。詳しくは、放熱部材側開口部２９は、図７に示すように、Ｙ軸方向について放熱部材１８の底壁部１８ａ２からシャーシ側放熱部１８ｂに至る範囲に形成されており、その外側の開口縁部がＬＥＤ基板１７の実装面と略面一状をなすのに対し、内側の開口縁部が導光板１９の光入射面１９ｂよりもＬＥＤ１６側とは反対側に引っ込む形で配されていてシャーシ側開口部２８の同開口縁部と略面一状をなしている。放熱部材側開口部２９は、Ｘ軸方向についてＬＥＤ基板１７の給電用突出部１７ｂよりも広範囲に形成されており、その開口縁部がシャーシ側開口部２８の同開口縁部と略面一状をなしている。従って、放熱部材側開口部２９は、給電用突出部１７ｂ及び基板側コネクタ２２に対して正面から視てＸ軸方向について全域が給電用突出部１７ｂ及び基板側コネクタ２２と重畳するとともに、給電用突出部１７ｂ及び基板側コネクタ２２が図８に示す左寄りに偏在するよう形成されている。言い換えると、シャーシ側開口部２８は、Ｘ軸方向について図８に示す右側の開口縁部が、給電用突出部１７ｂ及び基板側コネクタ２２との間に一定の間隔を空けた位置に配されるよう形成されている。また、放熱部材側開口部２９は、上記した通りに孔状に形成されているので、その開口縁部が無端環状をなしている。
【００４８】
上記したようにシャーシ側開口部２８及び放熱部材側開口部２９における平面に視た形成範囲（Ｘ軸方向及びＹ軸方向についての形成範囲）を設定することで、図８に示すように、Ｘ軸方向について基板側コネクタ２２に対して嵌合される前の配線側コネクタ２３を配置する配置スペース（嵌合作業スペース）を確保することができるとともに、図７に示すように、Ｙ軸方向について配線側コネクタ２３をシャーシ側開口部２８及び放熱部材側開口部２９に通す際に作業者の指をシャーシ側開口部２８及び放熱部材側開口部２９に入れることが可能とされる。ここで、仮にＬＥＤ基板における給電用突出部を、放熱部材１８の裏側外部に突出するよう形成すれば、シャーシ側開口部２８及び放熱部材側開口部２９の形成範囲を小さくすることが可能となる。しかしながら、それでは給電用突出部が放熱部材１８の裏側外部に突出する分だけ、バックライト装置及び液晶表示装置の厚さ（Ｚ軸方向についての寸法）が大きくなってしまう問題が生じる。従って、シャーシ側開口部２８及び放熱部材側開口部２９の平面に視た形成範囲を、嵌合状態とされた基板側コネクタ２２及び配線側コネクタ２３の同配置範囲よりも拡張することで、バックライト装置１２及び液晶表示装置１０の薄型化を図る上で有用とされる。
【００４９】
ところで、シャーシ１４の底板部１４ａに上記のようなシャーシ側開口部２８が形成されると、その形成部分が導光板１９を支持不能な導光板非支持部３０となるため、導光板１９と底板部１４ａとの間に介在する形で配される反射シート２０における導光板非支持部３０との重畳部分が、導光板１９の反対板面１９ｃから離れるよう変形する可能性がある。特に、導光板非支持部３０であるシャーシ側開口部２８は、ＬＥＤ基板１７の基板側コネクタ２２及び配線側コネクタ２３を外部に露出させ且つ配線側コネクタ２３の嵌合作業を許容するため、Ｙ軸方向についてＬＥＤ基板１７におけるＬＥＤ１６の実装面から光入射面１９ｂよりもＬＥＤ１６側とは反対側の位置に至る範囲に形成されており、その結果、反射シート２０の本体部分（延出反射部２０ａを除いた部分）の一部に加えて延出反射部２０ａの一部と平面に視て重畳する形で配されている。このため、図９の比較例に示すように、反射シート２０のうち導光板非支持部３０であるシャーシ側開口部２８と重畳する部分（延出反射部２０ａを含む）が導光板１９の反対板面１９ｃから離れるよう変形すると、その離れた部分のうちの特に延出反射部２０ａによってＬＥＤ１６からの光が反射されることで、その反射光が導光板１９の裏側（導光板１９と反射シート２０のうちの上記離れた部分との間の隙間）に入り込んで反対板面１９ｃに入射され易くなる（図９において一点鎖線にて表す光路を参照）。このように光入射面１９ｂを介することなく導光板１９の裏側から反対板面１９ｃに直接入射した光は、導光板１９内において光出射面１９ａに向かうと、光出射面１９ａに対する入射角が臨界角を超えないため、そのまま光出射面１９ａから出射してしまい（図９において一点鎖線にて表す光路を参照）、光出射面１９ａに局所的な明部が生じ、バックライト装置１２及び液晶表示装置１０の使用者（観察者）に輝度ムラとして視認されるおそれがある。なお、図９は、以下に説明する本実施形態に係る特徴構造である「切欠部３２」が形成されていない反射シート２０を備えた比較例に係る液晶表示装置１０の断面図であり、説明の便宜上図９には本実施形態に係る他の図面（図１から図８）と同じ符号を記載している。
【００５０】
そこで、本実施形態では、反射シート２０には、図６及び図７に示すように、延出反射部２０ａのうち、導光板非支持部３０であるシャーシ側開口部２８と平面に視て（光出射面１９ａに対する法線方向から視て）重畳する部分の少なくとも一部を切り欠くことで切欠部３２が形成されている。このような切欠部３２を反射シート２０に形成することで、導光板非支持部３０であるシャーシ側開口部２８に起因して延出反射部２０ａに導光板１９の反対板面１９ｃから離れる部分が生じ難くなるとともに、ＬＥＤ１６からの光が延出反射部２０ａにより反射されて導光板１９の反対板面１９ｃに直接入射する事態が生じ難くなる。これにより、導光板１９の反対板面１９ｃに入射した光が光出射面１９ａからそのまま出射する事態が生じ難くなるので、光出射面１９ａに局所的な明部が生じ難くなるとともに、光出射面１９ａからの出射光に輝度ムラが生じ難くなる。
【００５１】
詳しくは、反射シート２０は、図６に示すように、切欠部３２におけるＸ軸方向についての寸法がＹ軸方向についての位置に応じて変動し、ＬＥＤ１６から遠ざかるに連れて連続的に小さくなり、逆にＬＥＤ１６に近づくに連れて連続的に大きくなるよう形成されている。言い換えると、切欠部３２は、その切欠縁部からＬＥＤ１６までのＹ軸方向についての距離が、Ｘ軸方向について切欠部３２の中央側に近づくに連れて連続的に大きくなり、逆にＸ軸方向について切欠部３２の両端側に近づくに連れて連続的に小さくなるよう形成されている。つまり、切欠部３２は、全体として平面に視て三角形状をなすとともに、一対の傾斜状をなす切欠縁部を有しており、各切欠縁部がそれぞれＸ軸方向及びＹ軸方向の双方に対して傾斜した一対の傾斜状部３３とされる。一対の傾斜状部３３は、互いに対称形状をなすとともに略Ｖ字型をなしているので、切欠部３２の平面形状は二等辺三角形状とされている。ここで、反射シート２０に切欠部３２を形成すると、反射光量が切欠部３２において局所的に減少するため、導光板１９の光出射面１９ａからの出射光量が局所的に減少して局所的な暗部が生じ、明部との間に大きな輝度差が生じて輝度ムラとして視認されるおそれがある。これに対して上記のように切欠部３２の切欠縁部を傾斜状部３３により構成することで、反射シート２０の面積、すなわち反射シート２０による反射光量がＸ軸方向について連続的に変化するので、仮に切欠部におけるＸ軸方向についての寸法を一定とした場合や同寸法をＬＥＤ１６から遠ざかると段階的に小さくなるよう形成した場合に比べると、切欠部３２を形成するのに伴って導光板１９の光出射面１９ａに生じ得る暗部が視認され難くなり、輝度ムラの発生を抑制する上でより好適となる。なお、切欠部３２の切欠縁部である各傾斜状部３３は、その途中の部分が導光板１９の光入射面１９ｂに対して平面に視て交差しており、当該交差部位がシャーシ側開口部２８（導光板非支持部３０）に対してＸ軸方向について外側に配されていて非重畳の配置とされる。
【００５２】
切欠部３２は、図６に示すように、そのＸ軸方向についての両端部において、両傾斜状部３３におけるＸ軸方向についての一方の端部が、延出反射部２０ａにおけるＹ軸方向についての外側の端部に対して鈍角をなしつつ連なっているのに対し、Ｘ軸方向についての中央部において、両傾斜状部３３におけるＸ軸方向についての他方の端部同士が互いに鈍角をなしつつ連なっている。そして、切欠部３２は、図６及び図７に示すように、Ｘ軸方向についての中央部（両傾斜状部３３におけるＸ軸方向についての他方の端部）、つまりＬＥＤ１６との間の距離が最も大きな切欠縁部が、Ｙ軸方向について導光板１９の光入射面１９ｂよりもＬＥＤ１６側とは反対側に引っ込む配置となるよう形成されている。つまり、切欠部３２は、Ｙ軸方向について延出反射部２０ａのみならず反射シート２０の本体部分に至る範囲に形成されている。このような構成によれば、仮に切欠部の切欠縁部が光入射面１９ｂよりもＬＥＤ１６側に突き出す形で形成された場合に比べると、導光板非支持部３０であるシャーシ側開口部２８に起因して延出反射部２０ａに導光板１９の反対板面１９ｃから離れる部分がより生じ難くなるとともに、ＬＥＤ１６からの光が延出反射部２０ａにより反射されて反対板面１９ｃに直接入射する事態がより生じ難くなって輝度ムラをより好適に抑制することができる。それに加えて、仮に切欠部の切欠縁部が光入射面１９ｂと面一状に形成された場合に比べると、例えば寸法公差や組み付け公差などの影響により切欠部３２の切欠縁部である傾斜状部３３の配置に位置ずれが生じた場合であっても、切欠縁部である傾斜状部３３が光入射面１９ｂからＬＥＤ１６側に突き出す事態が回避される確実性が高くなり、もって輝度ムラの発生を一層好適に抑制することができる。その上で、切欠部３２は、両傾斜状部３３におけるＸ軸方向についての他方の端部が、導光板非支持部３０であるシャーシ側開口部２８におけるＹ軸方向についての端部よりもＬＥＤ１６側に配されるよう形成されているので、仮に切欠部の切欠縁部が導光板非支持部３０であるシャーシ側開口部２８の端部と面一状に形成された場合に、反射シート２０による反射光量が少なくなるために光の利用効率が低下するのに比べると、反射シート２０による反射光が十分に確保されて光の利用効率の低下を抑制することができる。なお、切欠部３２の切欠縁部が導光板非支持部３０であるシャーシ側開口部２８の端部よりも光入射面１９ｂ側に配されると、導光板非支持部３０であるシャーシ側開口部２８に起因して延出反射部２０ａに導光板１９の反対板面１９ｃから離れる部分が生じ易くなるものの、切欠部３２の切欠縁部が光入射面１９ｂと面一状または光入射面１９ｂよりもＬＥＤ１６側とは反対側に配されることで、光入射面１９ｂからＬＥＤ１６側に延出する延出反射部２０ａによる反射光が導光板１９の反対板面１９ｃに直接入射する事態については生じ難くなっているので、輝度ムラについては十分に生じ難いものとされている。
【００５３】
その上で、反射シート２０は、切欠部３２におけるＸ軸方向（光入射面１９ｂに沿う方向）についての形成範囲が導光板非支持部３０であるシャーシ側開口部２８の同形成範囲よりも広くなるよう形成されており、切欠部３２がＸ軸方向について導光板支持部３１と重畳する範囲にまで拡張されている。従って、延出反射部２０ａにおける導光板非支持部３０であるシャーシ側開口部２８との重畳部分と、導光板支持部３１との重畳部分との間で、反射光量が連続的に変化することになる。これにより、切欠部３２を形成するのに伴って導光板１９の光出射面１９ａに生じ得る暗部がより視認され難くなり、もって輝度ムラの発生を抑制する上で一層好適となる。また、例えば寸法公差や組み付け公差などの影響により切欠部３２の配置に位置ずれが生じた場合であっても、切欠部３２がＸ軸方向について導光板非支持部３０であるシャーシ側開口部２８に対して適切に重畳する形で配され易くなるので、切欠部３２による輝度ムラの抑制効果がより確実に得られる。なお、切欠部３２は、延出反射部２０ａのうち導光板支持部３１との重畳部分のうち、導光板非支持部３０であるシャーシ側開口部２８との重畳部分に隣り合う部分において切欠縁部が光入射面１９ｂよりもＬＥＤ１６側とは反対側に引っ込むとともに、残りの部分においては切欠縁部が光入射面１９ｂよりもＬＥＤ１６側に突き出すよう形成されている。さらには、反射シート２０は、切欠部３２におけるＸ軸方向についての形成範囲（最大寸法）が、切欠部３２におけるＹ軸方向（ＬＥＤ１６から光入射面１９ｂに向かう方向）についての形成範囲（最大寸法）よりも広くなるよう形成されているので、例えば寸法公差や組み付け公差などの影響により切欠部３２の配置に、Ｘ軸方向について位置ずれが生じた場合であっても、切欠部３２がＸ軸方向について導光板非支持部３０であるシャーシ側開口部２８に対して適切に重畳する形で配され易くなるので、切欠部３２による輝度ムラの抑制効果がより確実に得られる。ここで、仮に上記のような切欠部の配置に生じ得る位置ずれ対策を行った上で、切欠部におけるＹ軸方向についての形成範囲を、切欠部におけるＸ軸方向についての形成範囲よりも広くした場合や同じにした場合には、切欠部におけるＬＥＤ１６からＹ軸方向についての形成範囲が過大になりがちとなり、反射シート２０による反射光量が少なくなるために光の利用効率が低下するおそれがある。これに比べると、切欠部３２におけるＸ軸方向についての形成範囲を、切欠部３２におけるＹ軸方向についての形成範囲よりも広くすれば、光の利用効率を十分に確保しつつも上記のように切欠部３２による輝度ムラの抑制効果を得る確実性が高いものとなる。
【００５４】
本実施形態の液晶表示装置１０は以上のような構造であり、続いてその作用を説明する。液晶表示装置１０の組み付けに際しては、予めＬＥＤ１６及び基板側コネクタ２２を実装したＬＥＤ基板１７を放熱部材１８に対して取り付けることでＬＥＤユニットＬＵを組み付けておく。シャーシ１４内に反射シート２０及び導光板１９を収容するとともに、シャーシ１４のうち第１側板部１４ｂを備える長辺側の端部に対して各ＬＥＤユニットＬＵを取り付けるようにする。その後、予め各緩衝材２５〜２７が取り付けられた第２フレーム２１をシャーシ１４に対して組み付けることで、第２フレーム本体２１ａと導光板１９の外周端部との間に導光板用緩衝材２５が介在する形で配されるとともに、導光板用緩衝材２５を介して第２フレーム２１により導光板１９が表側から支持される。その後、第２フレーム本体２１ａの第３段部２１ａ３上に光学シート用緩衝材２７を介して光学シート１５が載置されてから、第２段部２１ａ２上に液晶パネル用緩衝材２６を介して液晶パネル１１が載置され、さらには第１段部２１ａ１上に第１フレーム１３が載置される。この第１フレーム１３が第２フレーム２１に取り付けられることで、液晶表示装置１０の主要な構成部品の組み付けが完了する。
【００５５】
上記のようにして組み付けられる液晶表示装置１０においては、バックライト装置１２のＬＥＤユニットＬＵに給電するための配線部材２４の接続作業が行われている。接続作業を行う作業者は、配線部材２４の端末に設けられた配線側コネクタ２３を指先で挟むようにして把持しつつ、バックライト装置１２をなすシャーシ１４及び放熱部材１８にそれぞれ裏側外部に開口する形で形成されたシャーシ側開口部２８及び放熱部材側開口部２９を通してバックライト装置１２の内部に収容する。このとき、シャーシ側開口部２８及び放熱部材側開口部２９は、図７に示すように、Ｙ軸方向についての外側の開口縁部がＬＥＤ基板１７の実装面と略面一状をなすのに対し、内側の開口縁部が導光板１９の光入射面１９ｂよりもＬＥＤ１６側とは反対側に引っ込む形で配されるとともに、図８に示すように、Ｘ軸方向についての右側の開口縁部が給電用突出部１７ｂ及び基板側コネクタ２２との間に配線側コネクタ２３の配置を許容する程度の間隔が空けられているので、配線側コネクタ２３を摘んだ作業者の指をシャーシ側開口部２８及び放熱部材側開口部２９に入れつつ、配線側コネクタ２３を基板側コネクタ２２に対して図８に示す右側から左側に向けて嵌合する作業を行うことができ、もって作業性に優れる。
【００５６】
以上のようにして製造された液晶表示装置１０の電源をＯＮにすると、液晶パネル１１を駆動するためのパネル駆動回路基板から画像に係る信号が液晶パネル１１に供給されるとともに、ＬＥＤ駆動回路基板から配線部材２４、配線側コネクタ２３及び基板側コネクタ２２を介してＬＥＤ基板１７上の各ＬＥＤ１６に対して電力が供給されることで、各ＬＥＤ１６が点灯される。各ＬＥＤ１６から発せられた光は、図３に示すように、導光板１９により導光されてから光学シート１５を透過することで、均一な面状の光に変換されてから液晶パネル１１に照射され、もって液晶パネル１１の表示領域に所定の画像が表示される。
【００５７】
バックライト装置１２に係る作用について詳しく説明すると、各ＬＥＤ１６を点灯させると、各ＬＥＤ１６から出射した光は、図３に示すように、導光板１９における光入射面１９ｂに入射した後、導光板１９における外部の空気層との界面にて全反射されたり、反射シート２０により反射されるなどして導光板１９内を伝播される過程で、光反射パターンによって光出射面１９ａからの出射が促進される。ここで、反射シート２０は、光入射面１９ｂよりもＬＥＤ１６側に向けて延出する延出反射部２０ａを有しているから、この延出反射部２０ａによりＬＥＤ１６と光入射面１９ｂとの間の空間に存在する光を反射することで、その反射光を効率的に光入射面１９ｂに入射させることができ、それにより光入射面１９ｂへの光の入射効率が高いものとされている。これにより、輝度の向上並びに低消費電力化を図ることができる。
【００５８】
その一方、シャーシ１４の底板部１４ａには、図７に示すように、ＬＥＤ基板１７への給電のためにシャーシ側開口部２８が形成されており、その形成部分が導光板１９を支持しない導光板非支持部３０となっている。このため、反射シート２０のうち導光板非支持部３０であるシャーシ側開口部２８と重畳する部分については、裏側から支持がなされないため、導光板１９の反対板面１９ｃから離れるよう変形し易くなっており、特に反射シート２０におけるシャーシ側開口部２８との重畳部分に延出反射部２０ａが含まれていると、反対板面１９ｃから離れるよう変形した延出反射部２０ａにより反射された光が導光板１９の裏側（導光板１９と反射シート２０のうちの上記離れた部分との間の隙間）に入り込んで反対板面１９ｃに直接入射した後に光出射面１９ａからそのまま出射して局所的な明部、つまり輝度ムラを生じさせるおそれがある（図９を参照）。その点、本実施形態では、反射シート２０には、延出反射部２０ａのうち導光板非支持部３０であるシャーシ側開口部２８と重畳する部分の少なくとも一部を切り欠いて切欠部３２が形成されているから、シャーシ側開口部２８に起因して延出反射部２０ａに導光板１９の反対板面１９ｃから離れる部分が生じ難くなるとともに、ＬＥＤ１６からの光が延出反射部２０ａにより反射されて反対板面１９ｃに直接入射する事態が生じ難くなる。これにより、光出射面１９ａに局所的な明部が生じ難くなるので、液晶表示装置１０の使用者（観察者）に輝度ムラが視認される事態が生じ難くなる。なお、図７の二点鎖線に示すように、反射シート２０のうち導光板非支持部３０であるシャーシ側開口部２８と重畳する部分が、導光板１９の反対板面１９ｃから離れるよう変形した場合であっても、その変形した部分には延出反射部２０ａが含まれていないため、当該変形部分に対して導光板１９を介さずにＬＥＤ１６からの光が直接照射されることが殆どないものとされている。従って、上記変形部分によりＬＥＤ１６からの光が反射されて導光板１９の反対板面１９ｃに直接入射する、といった事態が殆ど生じることがなく、仮にあってもごく僅かであるので局所的な明部を生じさせることが殆どないものとされる。
【００５９】
しかも、切欠部３２の切欠縁部が、図７に示すように、導光板１９の光入射面１９ｂよりもＬＥＤ１６側とは反対側に引っ込む形で配されているから、シャーシ側開口部２８に起因して延出反射部２０ａに導光板１９の反対板面１９ｃから離れる部分がより生じ難くなって輝度ムラの抑制により好適とされるのに加えて、反射シート２０の寸法公差やシャーシ１４に対する反射シート２０の組み付け公差などの影響により切欠部３２の切欠縁部が光入射面１９ｂからＬＥＤ１６側に突き出す配置となる事態が生じ難くなって輝度ムラの抑制に一層好適とされる。さらには、切欠部３２におけるＸ軸方向についての寸法が、図６に示すように、ＬＥＤ１６から遠ざかるに連れて連続的に小さくされているから、切欠部３２を形成するのに伴って光出射面１９ａに生じ得る暗部が液晶表示装置１０の使用者に視認され難くなり、輝度ムラをさらに好適に抑制することができる。その上で、切欠部３２におけるＸ軸方向についての形成範囲が導光板非支持部３０であるシャーシ側開口部２８の形成範囲よりも広くなっているから、延出反射部２０ａにおけるシャーシ側開口部２８との重畳部分と、導光板支持部３１との重畳部分との間で、反射光量が連続的に変化することになり、もって切欠部３２を形成するのに伴って光出射面１９ａに生じ得る暗部が液晶表示装置１０の使用者に視認され難くなり、輝度ムラをより一層好適に抑制することができる。また、切欠部３２におけるＸ軸方向についての形成範囲が、切欠部３２におけるＹ軸方向についての形成範囲よりも広くなっているから、反射シート２０の寸法公差やシャーシ１４に対する反射シート２０の組み付け公差などの影響により切欠部３２の配置に、Ｘ軸方向についての位置ずれが生じた場合でも、切欠部３２がＸ軸方向について導光板非支持部３０であるシャーシ側開口部２８に対して重畳しない、といった事態が生じ難くなり、もって切欠部３２による輝度ムラの抑制効果をより確実に得ることができる。
【００６０】
以上説明したように本実施形態のバックライト装置（照明装置）１２は、ＬＥＤ（光源）１６と、板状をなす導光板１９であって、少なくとも一端面がＬＥＤ１６からの光が入射される光入射面１９ｂとされ、一方の板面が光を出射させる光出射面１９ａとされ、さらには他方の板面が光出射面１９ａとは反対側の反対板面１９ｃとされる導光板１９と、導光板１９を反対板面１９ｃ側から支持する導光板支持部３１と、導光板１９を反対板面１９ｃ側から支持しない導光板非支持部３０とを有してなる底板部１４ａを有するシャーシ１４と、導光板１９の反対板面１９ｃとシャーシ１４の底板部１４ａとの間に介在する形で配されるとともに導光板１９からの光を光出射面１９ａ側に反射させる反射シート（反射部材）２０であって、導光板１９の光入射面１９ｂよりもＬＥＤ１６側に延出する延出反射部２０ａを有するとともに、延出反射部２０ａのうち導光板非支持部３０と重畳する部分の少なくとも一部を切り欠いて形成される切欠部３２を有する反射シート２０と、を備える。
【００６１】
このようにすれば、ＬＥＤ１６から発せられた光は、導光板１９の光入射面１９ｂに入射してから、光出射面１９ａとは反対側の反対板面１９ｃとシャーシ１４の底板部１４ａとの間に介在する形で配される反射シート２０により光出射面１９ａ側に反射されるなどすることで導光板１９内を伝播され、やがて光出射面１９ａから出射される。反射シート２０は、導光板１９の光入射面１９ｂよりもＬＥＤ１６側に延出する延出反射部２０ａを有しているから、延出反射部２０ａによりＬＥＤ１６からの光を反射することで光入射面１９ｂへの光の入射効率が高められている。一方、シャーシ１４の底板部１４ａは、導光板１９を反対板面１９ｃ側から支持する導光板支持部３１と、導光板１９を反対板面１９ｃ側から支持しない導光板非支持部３０とを有してなるため、延出反射部２０ａに導光板非支持部３０と重畳する部分が含まれていると、その重畳部分が反対板面１９ｃから離れ易くなり、その離れた部分がＬＥＤ１６からの光を反射して反対板面１９ｃに直接入射させることで、その入射光が光出射面１９ａからそのまま出射して局所的な明部、つまり輝度ムラを生じさせるおそれがある。
【００６２】
その点、反射シート２０には、延出反射部２０ａのうち導光板非支持部３０と重畳する部分の少なくとも一部を切り欠いて切欠部３２が形成されているから、導光板非支持部３０に起因して延出反射部２０ａに導光板１９の反対板面１９ｃから離れる部分が生じ難くなるとともに、ＬＥＤ１６からの光が延出反射部２０ａにより反射されて反対板面１９ｃに直接入射する事態が生じ難くなる。これにより、反対板面１９ｃに入射した光が光出射面１９ａからそのまま出射する事態が生じ難くなるので、光出射面１９ａからの出射光に輝度ムラが生じ難くなる。
【００６３】
また、反射シート２０は、切欠部３２の切欠縁部が光入射面１９ｂよりもＬＥＤ１６側とは反対側に配されるよう形成されている。このようにすれば、仮に切欠部の切欠縁部が光入射面１９ｂよりもＬＥＤ１６側に突き出す形で形成された場合に比べると、導光板非支持部３０に起因して延出反射部２０ａに導光板１９の反対板面１９ｃから離れる部分がより生じ難くなるとともに、ＬＥＤ１６からの光が延出反射部２０ａにより反射されて反対板面１９ｃに直接入射する事態がより生じ難くなり、もって輝度ムラをより好適に抑制することができる。さらには、仮に切欠部の切欠縁部が光入射面１９ｂと面一状に形成された場合に比べると、寸法公差や組み付け公差などの影響により切欠部３２の切欠縁部の配置に位置ずれが生じた場合であっても、切欠縁部が光入射面１９ｂからＬＥＤ１６側に突き出す事態が回避される確実性が高くなり、もって輝度ムラの発生を一層好適に抑制することができる。
【００６４】
また、導光板非支持部３０は、その端部が光入射面１９ｂよりもＬＥＤ１６側とは反対側に配されるよう形成されており、反射シート２０は、切欠部３２の切欠縁部が導光板非支持部３０の端部よりも光入射面１９ｂ側に配されるよう形成されている。このようにすれば、仮に切欠部の切欠縁部が導光板非支持部３０の端部と面一状に形成された場合に、反射シート２０による反射光量が少なくなるために光の利用効率が低下するのに比べると、反射シート２０による反射光が十分に確保されて光の利用効率の低下を抑制することができる。なお、切欠部３２の切欠縁部が導光板非支持部３０の端部よりも光入射面１９ｂ側に配されると、導光板非支持部３０に起因して延出反射部２０ａに導光板１９の反対板面１９ｃから離れる部分が生じ易くなるものの、切欠部３２の切欠縁部が光入射面１９ｂと面一状または光入射面１９ｂよりもＬＥＤ１６側とは反対側に配されることで、光入射面１９ｂからＬＥＤ１６側に延出する延出反射部２０ａによる反射光が導光板１９の反対板面１９ｃに直接入射する事態については生じ難くなっているので、輝度ムラについては十分に生じ難いものとされている。
【００６５】
また、反射シート２０は、切欠部３２における光入射面１９ｂに沿う方向についての寸法がＬＥＤ１６から遠ざかるに連れて連続的に小さくなるよう形成されている。このようにすれば、反射シート２０の面積、すなわち反射シート２０による反射光量が光入射面１９ｂに沿う方向について連続的に変化することになるので、仮に切欠部における光入射面１９ｂに沿う方向についての寸法が一定とされた場合や同寸法がＬＥＤ１６から遠ざかると段階的に小さくなるよう形成された場合に比べると、切欠部３２を形成するのに伴って光出射面１９ａに生じ得る暗部が視認され難くなり、もって輝度ムラの発生を抑制する上でより好適となる。
【００６６】
また、反射シート２０は、切欠部３２における光入射面１９ｂに沿う方向についての形成範囲が導光板非支持部３０における同形成範囲よりも広くなるよう形成されている。このようにすれば、切欠部３２が光入射面１９ｂに沿う方向について導光板支持部３１と重畳する範囲にまで拡張されているから、延出反射部２０ａにおける導光板非支持部３０との重畳部分と、導光板支持部３１との重畳部分との間で、反射光量が連続的に変化することになる。これにより、切欠部３２を形成するのに伴って光出射面１９ａに生じ得る暗部がより視認され難くなり、もって輝度ムラの発生を抑制する上で一層好適となる。また、寸法公差や組み付け公差などの影響により切欠部３２の配置に位置ずれが生じた場合であっても、切欠部３２が光入射面１９ｂに沿う方向について導光板非支持部３０に対して適切に重畳する形で配され易くなるので、切欠部３２による輝度ムラの抑制効果がより確実に得られる。
【００６７】
また、反射シート２０は、切欠部３２における光入射面１９ｂに沿う方向についての形成範囲が、切欠部３２におけるＬＥＤ１６から光入射面１９ｂに向かう方向についての形成範囲よりも広くなるよう形成されている。このようにすれば、寸法公差や組み付け公差などの影響により切欠部３２の配置に、光入射面１９ｂに沿う方向について位置ずれが生じた場合であっても、切欠部３２が光入射面１９ｂに沿う方向について導光板非支持部３０に対して適切に重畳する形で配され易くなるので、切欠部３２による輝度ムラの抑制効果がより確実に得られる。ここで、仮に上記のような切欠部の配置に生じ得る位置ずれ対策を行った上で、切欠部におけるＬＥＤ１６から光入射面１９ｂに向かう方向についての形成範囲を、切欠部における光入射面１９ｂに沿う方向についての形成範囲よりも広くした場合や同じにした場合には、切欠部におけるＬＥＤ１６から光入射面１９ｂに向かう方向についての形成範囲が過大になりがちとなり、反射シート２０による反射光量が少なくなるために光の利用効率が低下するおそれがある。これに比べると、切欠部３２における光入射面１９ｂに沿う方向についての形成範囲を、切欠部３２におけるＬＥＤ１６から光入射面１９ｂに向かう方向についての形成範囲よりも広くすれば、光の利用効率を十分に確保しつつも上記のように切欠部３２による輝度ムラの抑制効果を得る確実性が高いものとなる。
【００６８】
また、導光板非支持部３０は、底板部１４ａに開口するシャーシ側開口部（開口部）２８からなる。このようにすれば、仮に底板部１４ａを凹ませて形成された凹部が導光板非支持部をなす場合に比べると、導光板非支持部３０であるシャーシ側開口部２８に起因して延出反射部２０ａに導光板１９の反対板面１９ｃから離れる部分が生じ易くなり且つその離れる距離が大きくなる傾向にあるものの、反射シート２０に切欠部３２が形成されることで、そのような問題が生じ難くなり、輝度ムラを効果的に抑制することができる。
【００６９】
また、ＬＥＤ１６が実装されたＬＥＤ基板（光源基板）１７と、ＬＥＤ基板１７のＬＥＤ１６に給電するための基板側コネクタ２２及び配線側コネクタ２３（給電部）とを備えており、底板部１４ａは、シャーシ側開口部２８が基板側コネクタ２２及び配線側コネクタ２３を外部に露出させるよう形成されている。このようにすれば、シャーシ側開口部２８が底板部１４ａにおいて基板側コネクタ２２及び配線側コネクタ２３を外部に露出させる形で形成されることで、配線側コネクタ２３をシャーシ側開口部２８に容易に通すことができる。このように、配線側コネクタ２３を通すのを許容するシャーシ側開口部２８は、底板部１４ａのうちＬＥＤ基板１７及び導光板１９の光入射面１９ｂの近くに配されるため、必然的に反射シート２０の延出反射部２０ａとも重畳する形で配され易くなっている。そうであっても、反射シート２０に切欠部３２が形成されることで、導光板非支持部３０であるシャーシ側開口部２８に起因して延出反射部２０ａに導光板１９の反対板面１９ｃから離れる部分が生じ難くなるとともに、ＬＥＤ１６からの光が延出反射部２０ａにより反射されて反対板面１９ｃに直接入射する事態が生じ難くなり、もって輝度ムラを効果的に抑制することができる。
【００７０】
また、ＬＥＤ基板１７は、ＬＥＤ１６が実装されるＬＥＤ実装部（光源実装部）１７ａと、光出射面１９ａ側から反対板面１９ｃ側に向かう方向に沿ってＬＥＤ実装部１７ａから突出するとともに基板側コネクタ２２及び配線側コネクタ２３が配される給電用突出部１７ｂとを有しており、底板部１４ａは、シャーシ側開口部２８が基板側コネクタ２２、配線側コネクタ２３及び給電用突出部１７ｂを外部に露出させるよう形成されている。このようにすれば、仮に基板側コネクタ及び配線側コネクタをＬＥＤ実装部１７ａの一部に配置すると、ＬＥＤ実装部１７ａにＬＥＤ１６の非配置部分が生じるのに比べると、基板側コネクタ２２及び配線側コネクタ２３が配される給電用突出部１７ｂを、光出射面１９ａ側から反対板面１９ｃ側に向かう方向に沿ってＬＥＤ実装部１７ａから突出する形で設けることで、ＬＥＤ実装部１７ａに上記のようなＬＥＤ１６の非配置部分が生じることが避けられるから、導光板１９の光入射面１９ｂにＬＥＤ１６からの照射光量が局所的に少なくなる部分が生じ難くなる。これにより、当該バックライト装置１２の狭額縁化が進行し、ＬＥＤ１６と光入射面１９ｂとの位置関係がより近くなった場合でも、光出射面１９ａからの出射光に暗部が生じ難くなり、もって狭額縁化に伴う輝度ムラの発生を抑制することができる。しかも、光出射面１９ａ側から反対板面１９ｃ側に向かう方向に沿ってＬＥＤ実装部１７ａから突出する給電用突出部１７ｂ、及びそこに配された基板側コネクタ２２及び配線側コネクタ２３が、底板部１４ａに形成されたシャーシ側開口部２８により外部に露出されているので、配線側コネクタ２３をシャーシ側開口部２８に通す際の作業性についても十分に高いものとなる。
【００７１】
また、底板部１４ａは、シャーシ側開口部２８の開口縁部が光入射面１９ｂよりもＬＥＤ１６側とは反対側に配されるよう形成されている。このようにすれば、ＬＥＤ実装部１７ａからの給電用突出部１７ｂの突出寸法が小さくても、開口縁部が光入射面１９ｂよりもＬＥＤ１６側とは反対側に配されるよう、シャーシ側開口部２８の形成範囲が十分に広く確保されることで、シャーシ側開口部２８に配線側コネクタ２３を通す作業の作業性が良好なものとなる。そして、ＬＥＤ実装部１７ａからの給電用突出部１７ｂの突出寸法が小さくされることで、当該バックライト装置１２の薄型化を図ることができる。
【００７２】
また、本実施形態に係る液晶表示装置（表示装置）１０は、上記したバックライト装置１２と、バックライト装置１２からの光を利用して画像を表示する液晶パネル（表示パネル）１１を備える。このような液晶表示装置１０によれば、バックライト装置１２が輝度ムラの抑制されたものであるから、液晶パネル１１に表示される画像に係る表示品位が良好なものとなるとともに大画面化に好適とされる。
【００７３】
また、本実施形態に係るテレビ受信装置ＴＶは、上記した液晶表示装置１０を備える。このようなテレビ受信装置ＴＶによれば、液晶表示装置１０に備えられるバックライト装置１２が輝度ムラの抑制されたものであるから、液晶パネル１１に表示されるテレビ画像に係る表示品位が良好なものとなるとともに大画面化に好適とされる。
【００７４】
＜実施形態２＞
本発明の実施形態２を図１０または図１１によって説明する。この実施形態２では、切欠部１３２におけるＹ軸方向についての形成範囲を変更したものを示す。なお、上記した実施形態１と同様の構造、作用及び効果について重複する説明は省略する。
【００７５】
本実施形態に係る反射シート１２０は、図１０及び図１１に示すように、切欠部１３２におけるＸ軸方向についての中央部、つまりＬＥＤ１１６との間の距離が最も大きな切欠縁部が、Ｙ軸方向について導光板１１９の光入射面１１９ｂと面一状をなす配置となるよう形成されている。つまり、切欠部１３２は、Ｙ軸方向について延出反射部１２０ａのみに選択的に配されており、反射シート１２０の本体部分（延出反射部１２０ａを除いた部分）には形成されていない。このような構成であっても、仮に切欠部の切欠縁部が光入射面１１９ｂよりもＬＥＤ１１６側に突き出す形で形成された場合に比べると、導光板非支持部１３０であるシャーシ側開口部１２８に起因して延出反射部１２０ａに導光板１１９の反対板面１１９ｃから離れる部分がより生じ難くなるとともに、ＬＥＤ１１６からの光が延出反射部１２０ａにより反射されて反対板面１１９ｃに直接入射する事態がより生じ難くなって輝度ムラをより好適に抑制することができる。
【００７６】
以上説明したように本実施形態によれば、反射シート１２０は、切欠部１３２の切欠縁部が光入射面１１９ｂと面一状に配されるよう形成されている。このようにすれば、仮に切欠部の切欠縁部が光入射面１１９ｂよりもＬＥＤ１１６側に突き出す形で形成された場合に比べると、導光板非支持部１３０に起因して延出反射部１２０ａに導光板１１９の反対板面１１９ｃから離れる部分がより生じ難くなるとともに、ＬＥＤ１１６からの光が延出反射部１２０ａにより反射されて反対板面１１９ｃに直接入射する事態がより生じ難くなり、もって輝度ムラをより好適に抑制することができる。
【００７７】
＜実施形態３＞
本発明の実施形態３を図１２によって説明する。この実施形態３では、上記した実施形態１から切欠部２３２の平面形状を変更したものを示す。なお、上記した実施形態１と同様の構造、作用及び効果について重複する説明は省略する。
【００７８】
本実施形態に係る反射シート２２０は、図１２に示すように、切欠部２３２における平面形状が略台形状（詳しくは等脚台形）となるよう形成されている。従って、切欠部２３２の切欠縁部は、一対の傾斜状部２３３と、一対の傾斜状部２３３における切欠部２３２の中央側の端部同士を繋ぐとともにＸ軸方向に沿ってほぼ真っ直ぐな真直状部３４とから構成されている。切欠部２３２は、各傾斜状部２３３の形成範囲においては、切欠縁部からＬＥＤ２１６までのＹ軸方向についての距離が、Ｘ軸方向について真直状部３４に近づくに連れて連続的に大きくなり、逆にＸ軸方向について真直状部３４から遠ざかるに連れて連続的に小さくなるよう形成されている。これに対し、切欠部２３２は、真直状部３４の形成範囲においては、切欠縁部からＬＥＤ２１６までのＹ軸方向についての距離が全域にわたって一定とされており、光入射面２１９ｂからＬＥＤ２１６までのＹ軸方向についての距離よりも大きなものとされる。このような構成によれば、延出反射部２２０ａに形成された切欠部２３２の面積が、上記した実施形態１に記載したものよりも相対的に大きくなるので、導光板非支持部２３０であるシャーシ側開口部２２８に起因して延出反射部２２０ａに導光板２１９の反対板面から離れる部分が一層生じ難くなり、もって輝度ムラの抑制を図る上で一層好適となる。
【００７９】
＜実施形態４＞
本発明の実施形態４を図１３によって説明する。この実施形態４では、上記した実施形態１から切欠部３３２の平面形状を変更したものを示す。なお、上記した実施形態１と同様の構造、作用及び効果について重複する説明は省略する。
【００８０】
本実施形態に係る反射シート３２０は、図１３に示すように、切欠部３３２における平面形状が略弓形状となるよう形成されており、その切欠縁部が円弧状部３５とされる。切欠部３３２は、切欠縁部である円弧状部３５がＬＥＤ３１６側とは反対側に凹むように形成されており、その接線がいずれもＸ軸方向及びＹ軸方向に対して傾斜状をなしている（但し、円弧状部３５のうちＸ軸方向についての中央部に対する接線を除く）。つまり、切欠部３３２は、その切欠縁部をなす円弧状部３５を含む円の中心がＹ軸方向について切欠縁部に対してＬＥＤ３１６側に位置するよう形成されている。このような構成においても、上記した実施形態１と同様に、切欠部３３２は、Ｘ軸方向についての寸法がＬＥＤ３１６から遠ざかるに連れて連続的に小さくなるよう形成されているので、実施形態１と同様の輝度ムラ抑制効果を得ることができる。
【００８１】
＜実施形態５＞
本発明の実施形態５を図１４によって説明する。この実施形態５では、上記した実施形態４から切欠部４３２の平面形状をさらに変更したものを示す。なお、上記した実施形態４と同様の構造、作用及び効果について重複する説明は省略する。
【００８２】
本実施形態に係る反射シート４２０は、図１４に示すように、切欠部４３２における平面形状が略Ｖ字型となり且つその切欠縁部が一対の円弧状部４３５からなるよう形成されている。切欠部４３２は、切欠縁部である一対の円弧状部４３５がそれぞれＬＥＤ４１６側に膨出するように形成されており、その接線がいずれもＸ軸方向及びＹ軸方向に対して傾斜状をなしている。つまり、切欠部４３２は、その切欠縁部をなす各円弧状部４３５を含む円の中心がＹ軸方向について切欠縁部に対してＬＥＤ４１６側とは反対側に位置するよう形成されている。
【００８３】
＜実施形態６＞
本発明の実施形態６を図１５によって説明する。この実施形態６では、上記した実施形態１から切欠部５３２の平面形状を変更したものを示す。なお、上記した実施形態１と同様の構造、作用及び効果について重複する説明は省略する。
【００８４】
本実施形態に係る反射シート５２０は、図１５に示すように、切欠部５３２の切欠縁部をなす傾斜状部５３３が途中で屈曲されることで、Ｘ軸方向及びＹ軸方向に対する傾斜角度が途中で変化する構成となるよう形成されている。傾斜状部５３３は、切欠部５３２においてＸ軸方向についての中央側に配される第１傾斜状部３６と、切欠部５３２においてＸ軸方向についての端側に配される第２傾斜状部３７とから構成されており、Ｘ軸方向及びＹ軸方向に対する傾斜角度が２段階で変化する構成とされる。第１傾斜状部３６は、Ｙ軸方向に対してなす傾斜角度が第２傾斜状部３７の同傾斜角度よりも小さくなるとともに、Ｘ軸方向に対してなす傾斜角度が第２傾斜状部３７の同傾斜角度よりも大きくなるよう形成されている。このような構成においても、上記した実施形態１と同様に、切欠部５３２は、Ｘ軸方向についての寸法がＬＥＤ５１６から遠ざかるに連れて連続的に小さくなるよう形成されているので、実施形態１と同様の輝度ムラ抑制効果を得ることができる。
【００８５】
＜実施形態７＞
本発明の実施形態７を図１６または図１７によって説明する。この実施形態７では、上記した実施形態２から切欠部６３２におけるＹ軸方向についての形成範囲をさらに変更したものを示す。なお、上記した実施形態２と同様の構造、作用及び効果について重複する説明は省略する。
【００８６】
本実施形態に係る反射シート６２０は、図１６及び図１７に示すように、切欠部６３２におけるＸ軸方向についての中央部、つまりＬＥＤ６１６との間の距離が最も大きな切欠縁部が、Ｙ軸方向について導光板６１９の光入射面６１９ｂよりもＬＥＤ６１６側に突き出す配置となるよう形成されている。このような構成であっても、延出反射部６２０ａにおけるＬＥＤ６１６に最も近い部分が切欠部６３２によって切り欠かれているので、仮に切欠部が形成されない場合に比べると、導光板非支持部６３０であるシャーシ側開口部６２８に起因して延出反射部６２０ａに導光板６１９の反対板面６１９ｃから離れる部分がより生じ難くなるとともに、ＬＥＤ６１６からの光が延出反射部６２０ａにより反射されて反対板面６１９ｃに直接入射する事態がより生じ難くなって輝度ムラをより好適に抑制することができる。
【００８７】
＜実施形態８＞
本発明の実施形態８を図１８または図１９によって説明する。この実施形態８では、上記した実施形態１からシャーシ７１４の底板部７１４ａに補強リブ３８を設けるようにしたものを示す。なお、上記した実施形態１と同様の構造、作用及び効果について重複する説明は省略する。
【００８８】
本実施形態に係るシャーシ７１４をなす底板部７１４ａには、図１８及び図１９に示すように、部分的に裏側に凹む形で補強リブ（凹状部）３８が設けられている。補強リブ３８は、底板部７１４ａに絞り加工を施すことで一体に形成されており、その断面形状は底部が底板部７１４ａよりも裏側に配される略台形状をなしている。補強リブ３８は、底板部７１４ａのうちシャーシ側開口部７２８に隣接する位置に配されるとともに、Ｘ軸方向についての形成範囲がシャーシ側開口部７２８の同形成範囲よりも大きくなるよう形成されている。詳しくは、補強リブ３８は、平面に視てシャーシ側開口部７２８を囲うようにして形成されており、Ｘ軸方向に沿って延在するとともにその長さ寸法がシャーシ側開口部７２８におけるＸ軸方向についての寸法よりも大きな第１補強部３８ａと、第１補強部３８ａの長さ方向の両端部からＬＥＤ７１６側に向けて延出する一対の第２補強部３８ｂと、各第２補強部３８ｂの延出端部からＸ軸方向に沿って互いに離れるよう延出する一対の第３補強部３８ｃとから構成される。このうち、第１補強部３８ａは、Ｘ軸方向についてシャーシ側開口部７２８の全域に対して重なり合う配置されるのに対し、第２補強部３８ｂ及び第３補強部３８ｃは、Ｙ軸方向についてシャーシ側開口部７２８の一部と重なる合う配置とされる。このような補強リブ３８が底板部７１４ａに形成されることで、シャーシ側開口部７２８が形成されるのに伴って底板部７１４ａに生じる強度低下を補うことができる。
【００８９】
しかしながら、上記のような補強リブ３８を底板部７１４ａに形成すると、その加工に伴って底板部７１４ａのうち補強リブ３８に隣り合う部分に歪みや撓みによる変形部３９が形成される場合があり、特に補強リブ３８に対して底板部７１４ａの外端寄りの位置に変形部３９が形成され易くなっている。補強リブ３８に対して底板部７１４ａの外端寄りの位置に変形部３９が形成されると、その変形部３９が反射シート７２０の延出反射部７２０ａと平面に視て重畳する配置となり易くなっている。この変形部３９は、導光板７１９の反対板面７１９ｃとの間の距離が導光板支持部７３１における同距離よりも相対的に大きなものとされているため、上記した補強リブ３８と共に導光板７１９を支持しない第２の導光板非支持部４０を構成している。これに対して、本実施形態では、反射シート７２０に形成した切欠部７３２が、延出反射部７２０ａのうち、導光板非支持部７３０であるシャーシ側開口部７２８に加えて第２の導光板非支持部４０をなす変形部３９とも平面に視て重畳する範囲に形成されている。これにより、第２の導光板非支持部４０をなす変形部３９に起因して延出反射部７２０ａに導光板７１９の反対板面７１９ｃから離れる部分が生じ難くなるとともに、ＬＥＤ７１６からの光が延出反射部７２０ａにより反射されて反対板面７１９ｃに直接入射する事態が生じ難くなる。これにより、光出射面７１９ａに局所的な明部が生じ難くなり、もって輝度ムラが生じ難くなる。
【００９０】
以上説明したように本実施形態によれば、導光板非支持部７３０は、底板部７１４ａを導光板７１９側とは反対側に凹ませることで形成された補強リブ（凹状部）３８と、底板部７１４ａのうち補強リブ３８に隣り合うとともに導光板７１９の反対板面７１９ｃとの間の距離が導光板支持部７３１における同距離よりも相対的に大きな変形部３９と、からなる。底板部７１４ａに導光板７１９側とは反対側に凹む補強リブ３８が形成されると、それに伴って底板部７１４ａには歪みや撓みによる変形部３９が形成される場合があり、そのような変形部３９は、底板部７１４ａのうち補強リブ３８に隣り合う位置に配される。従って、例えば補強リブ３８が反射シート７２０の延出反射部７２０ａとは非重畳となる位置に形成された場合でも、底板部７１４ａのうち反射シート７２０の延出反射部７２０ａと重畳する位置に変形部３９が形成される場合がある。変形部３９は、導光板７１９の反対板面７１９ｃとの間の距離が、導光板支持部７３１における同距離よりも相対的に大きくなっているものの、反射シート７２０に切欠部７３２が形成されることで、導光板非支持部７３０である変形部３９に起因して延出反射部７２０ａに導光板７１９の反対板面７１９ｃから離れる部分が生じ難くなるとともに、ＬＥＤ７１６からの光が延出反射部７２０ａにより反射されて反対板面７１９ｃに直接入射する事態が生じ難くなり、もって輝度ムラを効果的に抑制することができる。
【００９１】
＜実施形態９＞
本発明の実施形態９を図２０または図２１によって説明する。この実施形態９では、上記した実施形態１からシャーシ８１４の底板部８１４ａに基板取付部４１を設けるようにしたものを示す。なお、上記した実施形態１と同様の構造、作用及び効果について重複する説明は省略する。
【００９２】
本実施形態に係るシャーシ８１４をなす底板部８１４ａには、図２０及び図２１に示すように、部分的に裏側に凹む形で基板取付部（凹状部）４１が設けられている。基板取付部４１は、底板部８１４ａに絞り加工を施すことで一体に形成されており、その断面形状が底部が底板部８１４ａよりも裏側に配されるとともに底部が上記した実施形態８に記載した補強リブ３８よりも大きな略台形状をなしている。基板取付部４１には、底板部８１４ａの裏側に配される基板４２がねじ部材ＳＭによって取り付けることが可能とされる。この基板４２には、液晶パネル８１１を駆動するためのパネル駆動回路基板やＬＥＤ８１６に電力を供給するためのＬＥＤ駆動回路基板などが含まれる。なお、本実施形態では、上記した実施形態１に記載したシャーシ側開口部２８がシャーシ８１４に形成されていない構成とされる。
【００９３】
上記のような基板取付部４１を底板部８１４ａに形成すると、その加工に伴って底板部８１４ａのうち基板取付部４１に隣り合う部分に歪みや撓みによる変形部８３９が形成される場合があり、特に基板取付部４１に対して底板部８１４ａの外端寄りの位置に変形部８３９が形成され易くなっている。基板取付部４１に対して底板部８１４ａの外端寄りの位置に変形部８３９が形成されると、その変形部８３９が反射シート８２０の延出反射部８２０ａと平面に視て重畳する配置となり易くなっている。この変形部８３９は、導光板８１９の反対板面８１９ｃとの間の距離が導光板支持部８３１における同距離よりも相対的に大きなものとされているため、上記した基板取付部４１と共に導光板８１９を支持しない第導光板非支持部８３０を構成している。これに対して、本実施形態では、反射シート８２０に形成した切欠部８３２が、延出反射部８２０ａのうち、導光板非支持部８３０をなす変形部８３９と平面に視て重畳する範囲に形成されている。これにより、導光板非支持部８３０をなす変形部８３９に起因して延出反射部８２０ａに導光板８１９の反対板面８１９ｃから離れる部分が生じ難くなるとともに、ＬＥＤ８１６からの光が延出反射部８２０ａにより反射されて反対板面８１９ｃに直接入射する事態が生じ難くなる。これにより、光出射面８１９ａに局所的な明部が生じ難くなり、もって輝度ムラが生じ難くなる。
【００９４】
以上説明したように本実施形態によれば、底板部８１４ａに対して導光板８１９側とは反対側に配されるとともに基板取付部（凹状部）４１に取り付けられる基板４２を備える。このようにすれば、底板部８１４ａに対して導光板８１９側とは反対側に配される基板４２を、基板取付部４１を利用して取り付けることができる。言い換えると、基板４２を取り付けるため、底板部８１４ａに基板取付部４１を形成するのに伴って底板部８１４ａに変形部８３９が形成されても、反射シート８２０に切欠部８３２が形成されることで、変形部８３９に起因する輝度ムラを効果的に抑制することができる。
【００９５】
＜実施形態１０＞
本発明の実施形態１０を図２２によって説明する。この実施形態１０では、上記した実施形態１から両側入光タイプのバックライト装置９１２に変更したものを示す。なお、上記した実施形態１と同様の構造、作用及び効果について重複する説明は省略する。
【００９６】
本実施形態に係るバックライト装置９１２では、図２２に示すように、ＬＥＤユニットＬＵが導光板９１９をその短辺方向（Ｙ軸方向）について両側から挟み込む形で２組配置されており、それにより導光板９１９における長辺側の両端面が共に光入射面９１９ｂとされている。従って、導光板９１９における短辺側の両端面のみがＬＥＤ９１６とは対向しないＬＥＤ非対向端面を構成している。各ＬＥＤユニットＬＵは、シャーシ９１４における長辺側の両端部にそれぞれ取り付けられており、それに伴ってシャーシ側開口部９２８も底板部９１４ａの長辺側の一方の端部から第１側板部９１４ｂに跨る形で配されるものと、底板部９１４ａの長辺側の他方の端部から第２側板部９１４ｃに跨る形で配されるものとが形成されることになる。この第２側板部９１４ｃは、第１側板部９１４ｂと同様に底板部９１４ａから裏側に向けて突出する形で形成されている。そして、反射シート９２０は、その長辺側の両端部がそれぞれ延出反射部９２０ａとされるとともに、シャーシ側開口部９２８と平面に視て重畳する部分（延出反射部９２０ａを含む）に切欠部９３２がそれぞれ形成されている。
【００９７】
＜実施形態１１＞
本発明の実施形態１１を図２３または図２４によって説明する。この実施形態１１では、上記した実施形態１から放熱部材１８を省略するとともにシャーシ１０１４の構造を変更したものを示す。なお、上記した実施形態１と同様の構造、作用及び効果について重複する説明は省略する。
【００９８】
本実施形態に係るシャーシ１０１４には、図２３に示すように、底板部１０１４ａの一方の長辺側の端部にＬＥＤ基板１０１７を収容するＬＥＤ基板収容部４３が設けられている。ＬＥＤ基板収容部４３は、底板部１０１４ａの長辺側の端部から裏側に向けて突出する第１側部４３ａと、第１側部４３ａの突出端部からＹ軸方向に沿って底板部１０１４ａ側とは反対側に延出する底部４３ｂと、底部４３ｂの延出端部から表側に向けて立ち上がる第２側部４３ｃとから構成される。そして、ＬＥＤ基板収容部４３の内部空間には、ＬＥＤ１０１６が実装されたＬＥＤ基板１０１７が収容されている。ＬＥＤ基板１０１７は、ＬＥＤ基板収容部４３をなす第２側部４３ｃに接する形で取り付けられている。
【００９９】
そして、底板部１０１４ａ及びＬＥＤ基板収容部４３には、図２４に示すように、基板側コネクタ１０２２及び配線側コネクタ１０２３を裏側外部に露出させるためのシャーシ側開口部１０２８が形成されている。シャーシ側開口部１０２８は、Ｙ軸方向についてＬＥＤ基板収容部４３の第１側部４３ａ及び底部４３ｂの全域と、底板部１０１４ａにおけるＬＥＤ基板収容部４３に隣接する長辺側の端部とに跨る範囲に形成されている。このような構成では、導光板非支持部１０３０であるシャーシ側開口部１０２８が反射シート１０２０の延出反射部１０２０ａの一部と重畳する配置となる。これに対して、本実施形態では、反射シート１０２０に形成した切欠部１０３２が、延出反射部１０２０ａのうち、導光板非支持部１０３０をなすシャーシ側開口部１０２８と平面に視て重畳する範囲に形成されている。これにより、導光板非支持部１０３０をなすシャーシ側開口部１０２８に起因して延出反射部１０２０ａに導光板１０１９の反対板面１０１９ｃから離れる部分が生じ難くなるとともに、ＬＥＤ１０１６からの光が延出反射部１０２０ａにより反射されて反対板面１０１９ｃに直接入射する事態が生じ難くなる。これにより、光出射面１０１９ａに局所的な明部が生じ難くなり、もって輝度ムラが生じ難くなる。
【０１００】
＜実施形態１２＞
本発明の実施形態１２を図２５によって説明する。この実施形態１２では、上記した実施形態１１に記載した底板部１１１４ａに、上記した実施形態８に記載した補強リブ１１３８を形成したものを示す。なお、上記した実施形態８，１１と同様の構造、作用及び効果について重複する説明は省略する。
【０１０１】
本実施形態に係るシャーシ１１１４をなす底板部１１１４ａには、図２５に示すように、底板部１１１４ａを補強するための補強リブ１１３８が形成されている。この補強リブ１１３８が形成されるのに伴い、底板部１１１４ａには、変形部１１３９が形成されており、この変形部１１３９が補強リブ１１３８と共に導光板１１１９を支持しない第２の導光板非支持部１１４０を構成している。これに対して、本実施形態では、反射シート１１２０に形成した切欠部１１３２が、延出反射部１１２０ａのうち、第２の導光板非支持部１１４０をなす変形部１１３９と平面に視て重畳する範囲に形成されている。これにより、第２の導光板非支持部１１４０をなす変形部１１３９に起因して延出反射部１１２０ａに導光板１１１９の反対板面１１１９ｃから離れる部分が生じ難くなるとともに、ＬＥＤ１１１６からの光が延出反射部１１２０ａにより反射されて反対板面１１１９ｃに直接入射する事態が生じ難くなる。これにより、光出射面１１１９ａに局所的な明部が生じ難くなり、もって輝度ムラが生じ難くなる。
【０１０２】
＜実施形態１３＞
本発明の実施形態１３を図２６によって説明する。この実施形態１３では、上記した実施形態１１に記載した底板部１２１４ａに、上記した実施形態９に記載した基板取付部１２４１を形成したものを示す。なお、上記した実施形態９，１１と同様の構造、作用及び効果について重複する説明は省略する。
【０１０３】
本実施形態に係るシャーシ１２１４をなす底板部１２１４ａには、図２６に示すように、底板部１２１４ａの裏側に配される基板１２４２を取り付けるための基板取付部１２４１が形成されている。この基板取付部１２４１が形成されるのに伴い、底板部１２１４ａには、変形部１２３９が形成されており、この変形部１２３９が基板取付部１２４１と共に導光板１２１９を支持しない導光板非支持部１２３０を構成している。これに対して、本実施形態では、反射シート１２２０に形成した切欠部１２３２が、延出反射部１２２０ａのうち、導光板非支持部１２３０をなす変形部１２３９と平面に視て重畳する範囲に形成されている。これにより、導光板非支持部１２３０をなす変形部１２３９に起因して延出反射部１２２０ａに導光板１２１９の反対板面１２１９ｃから離れる部分が生じ難くなるとともに、ＬＥＤ１２１６からの光が延出反射部１２２０ａにより反射されて反対板面１２１９ｃに直接入射する事態が生じ難くなる。これにより、光出射面１２１９ａに局所的な明部が生じ難くなり、もって輝度ムラが生じ難くなる。
【０１０４】
＜実施形態１４＞
本発明の実施形態１４を図２７によって説明する。この実施形態１４では、上記した実施形態１１からシャーシ１３１４の構造をさらに変更したものを示す。なお、上記した実施形態１１と同様の構造、作用及び効果について重複する説明は省略する。
【０１０５】
本実施形態に係るシャーシ１３１４には、図２７に示すように、底板部１３１４ａにおけるＬＥＤ基板１３１７側の端部から第１側板部１３１４ｂが表側に向けて立ち上がる形で形成されており、その第１側板部１３１４ｂに接する形でＬＥＤ基板１３１７が取り付けられている。底板部１３１４ａに形成されたシャーシ側開口部１３２８は、その外側の開口縁部が第１側板部１３１４ｂにおけるＬＥＤ基板１３１７の被着面と面一状をなす形で形成されており、それによりＬＥＤ基板１３１７の給電用突出部１３１７ｂ及び基板側コネクタ１３２２を通すことが可能とされる。給電用突出部１３１７ｂ及び基板側コネクタ１３２２は、シャーシ側開口部１３２８を通して底板部１３１４ａの裏側外部に突出する形で配されており、基板側コネクタ１３２２に対して配線側コネクタ１３２３を嵌合接続することが可能とされている。
【０１０６】
＜他の実施形態＞
本発明は上記記述及び図面によって説明した実施形態に限定されるものではなく、例えば次のような実施形態も本発明の技術的範囲に含まれる。
（１）上記した実施形態３の変形例として、図２８に示すように、切欠部１４３２の切欠縁部をなす真直状部１４３４が導光板１４１９の光入射面１４１９ｂと面一状をなす構成を採ることも可能である。
【０１０７】
（２）上記した実施形態４の変形例として、図２９に示すように、切欠部１５３２の切欠縁部をなす円弧状部１５３５のうち、ＬＥＤ１５１６からのＹ軸方向についての距離が最も大きな部分が導光板１５１９の光入射面１５１９ｂと面一状をなす構成を採ることも可能である。
【０１０８】
（３）上記した実施形態５，６，８〜１４に記載したものに、上記した実施形態２，７に記載した構成を適宜に組み合わせることも勿論可能である。
【０１０９】
（４）上記した実施形態３，４に記載したものに、上記した実施形態７に記載した構成を適宜に組み合わせることも勿論可能である。
【０１１０】
（５）上記した実施形態８では、補強リブを形成するのに伴い、底板部の端部に変形部が形成された場合を示したが、このような補強リブを形成せずとも底板部の端部に撓みや反りが生じることで変形部が形成される場合があり、そのような変形部が形成された場合においても反射シートの切欠部を形成することで、変形部に起因する輝度ムラを抑制することができる。
【０１１１】
（６）上記した各実施形態以外にも、切欠部及びその切欠縁部の平面形状は適宜に変更可能である。具体的には、切欠部の平面形状を、正三角形、直角三角形、不等辺三角形、不等脚台形、楕円形などとすることが可能である。
【０１１２】
（７）上記した各実施形態以外にも、反射シートにおける切欠部のＸ軸方向についての配置及び設置数などについては適宜に変更可能である。また、切欠部におけるＸ軸方向についての形成範囲やＹ軸方向についての形成範囲に関しても適宜に変更可能である。具体的には、例えば切欠部におけるＬＥＤとの間の距離が最も大きな切欠縁部が導光板非支持部の端部と面一状をなす構成を採ることも可能である。さらには、切欠部が導光板非支持部の全域に対して重畳するような形成範囲とすることも可能である。また、切欠部の切欠縁部と導光板の光入射面とが平面に視て交差する構成とした場合において、当該交差部位が導光板非支持部内に配されて重畳する配置とすることも可能であり、さらには当該交差部位が導光板非支持部の縁部と交差する配置とすることも可能である。
【０１１３】
（８）上記した実施形態８，１２では、シャーシ側開口部が形成されたシャーシに補強リブを設けた場合を示したが、上記した実施形態９，１３のようにシャーシ側開口部が形成されないシャーシに補強リブを設けた構成についても本発明は適用可能である。
【０１１４】
（９）上記した実施形態８，９，１２，１３では、凹状部である補強リブまたは基板取付部が、反射シートの延出反射部とは平面に視て非重畳となる配置とされたものを示したが、凹状部である補強リブまたは基板取付部が、反射シートの延出反射部とは平面に視て重畳する配置としたものも本発明に含まれる。
【０１１５】
（１０）上記した各実施形態では、基板側コネクタに対して配線側コネクタがＸ軸方向に沿って嵌合される場合を示したが、基板側コネクタに対する配線側コネクタの嵌合方向をＺ軸方向と一致させたり、Ｙ軸方向と一致させることも可能である。
【０１１６】
（１１）上記した各実施形態では、ＬＥＤ基板に基板側コネクタが配される構成を例示したが、この基板側コネクタを省略するとともに、例えばＬＥＤ基板の給電用突出部に給電用の端子部を設けるようにし、給電用突出部に対して配線側コネクタを取り付けると、配線側コネクタが給電用の端子部に対して電気的に接続される構成を採ることも可能である。
【０１１７】
（１２）上記した各実施形態では、ＬＥＤ基板に形成された各配線パターンが各グループに属するＬＥＤ群を並列接続した場合を示したが、各配線パターンが各グループに属するＬＥＤ群を直列接続する構成を採ることも可能である。
【０１１８】
（１３）上記した各実施形態では、ＬＥＤ基板に２系統の配線パターンが形成された場合を示したが、ＬＥＤ基板に３系統以上の配線パターンを形成したり、１系統の配線パターンのみを形成することも可能である。
【０１１９】
（１４）上記した各実施形態では、ＬＥＤ実装部における長さ方向の中央位置に給電用突出部を連ねた構成のものを示したが、ＬＥＤ実装部に対して給電用突出部を連ねる位置は適宜に変更可能であり、例えばＬＥＤ実装部の長さ方向の端部に給電用突出部を連ねる構成を採ることが可能である。その場合、給電用突出部の配置変更に伴ってシャーシ側開口部、放熱部材側開口部及び反射シートの切欠部の配置も変更すればよい。
【０１２０】
（１５）上記した各実施形態では、ＬＥＤ実装部に給電用突出部が１つのみ連なる構成のものを示したが、ＬＥＤ実装部に複数の給電用突出部が連なる構成を採ることも可能である。その場合、給電用突出部の設置数の変更に伴ってシャーシ側開口部、放熱部材側開口部及び反射シートの切欠部の設置数も変更すればよい。
【０１２１】
（１６）上記した各実施形態では、シャーシ側開口部及び放熱部材側開口部が、基板側コネクタ及び配線側コネクタの全域と平面に視て重畳する範囲に形成された場合を示したが、シャーシ側開口部及び放熱部材側開口部が、基板側コネクタ及び配線側コネクタの一部のみに平面に視て重畳する範囲に形成されたものも本発明に含まれる。また、シャーシ側開口部及び放熱部材側開口部が、基板側コネクタ及び配線側コネクタと平面に視て非重畳となる範囲に形成されるものも本発明に含まれる。
【０１２２】
（１７）上記した各実施形態では、導光板の長辺側の端面に対してＬＥＤ基板（ＬＥＤ、ＬＥＤユニット）が対向状に配される片側入光タイプまたは両側入光のバックライト装置を備えた液晶表示装置を例示したが、導光板の短辺側の端面に対してＬＥＤ基板が対向状に配される片側入光タイプまたは両側入光のバックライト装置を備えた液晶表示装置にも本発明は適用可能である。それ以外にも、導光板における任意の３つの対面に対してＬＥＤ基板が対向状に配されるものや、導光板における全端面に対してＬＥＤ基板が対向状に配されるものにも本発明は適用可能である。
【０１２３】
（１８）上記した各実施形態では、第１フレームを金属製としたものを示したが、第１フレームを合成樹脂製とすることも可能である。同様に第２フレームを金属製とすることも可能である。
【０１２４】
（１９）上記した各実施形態では、導光板の１つの端面に対して２枚のＬＥＤ基板（ＬＥＤユニット）を対向状に配置したものを例示したが、導光板の１つの端面に対して１枚のＬＥＤ基板または３枚以上のＬＥＤ基板を対向状に配置することも可能である。
【０１２５】
（２０）上記した各実施形態では、光源としてＬＥＤを用いたものを示したが、有機ＥＬ、冷陰極管、熱陰極管などの他の光源を用いることも可能である。
【０１２６】
（２１）上記した各実施形態では、液晶パネルが有するカラーフィルタの着色部をＲ，Ｇ，Ｂの３色としたものを例示したが、着色部を４色以上とすることも可能である。
【０１２７】
（２２）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１２８】
（２３）上記した各実施形態では、表示パネルとして液晶パネルを用いた液晶表示装置を例示したが、他の種類の表示パネルを用いた表示装置にも本発明は適用可能である。
【０１２９】
（２４）上記した各実施形態では、チューナを備えたテレビ受信装置を例示したが、チューナを備えない表示装置にも本発明は適用可能である。具体的には、電子看板（デジタルサイネージ）や電子黒板として使用される液晶表示装置にも本発明は適用することができる。
【符号の説明】
【０１３０】
１０…液晶表示装置（表示装置）、１１…液晶パネル（表示パネル）、１２，９１２…バックライト装置（照明装置）、１４，７１４，８１４，９１４，１０１４，１１１４，１２１４，１３１４…シャーシ、１４ａ，７１４ａ，８１４ａ，９１４ａ，１０１４ａ，１１１４ａ，１２１４ａ，１３１４ａ…底板部、１６，１１６，２１６，３１６，４１６，５１６，６１６，７１６，８１６，９１６，１０１６，１１１６，１２１６，１３１６，１５１６…ＬＥＤ（光源）、１７，１０１７，１３１７…ＬＥＤ基板（光源基板）、１７ａ…ＬＥＤ実装部（光源実装部）、１７ｂ，１３１７ｂ…給電用突出部、１９，１１９，２１９，６１９，７１９，８１９，９１９，１０１９，１１１９，１２１９，１４１９，１５１９…導光板、１９ａ，７１９ａ，８１９ａ，１０１９ａ，１１１９ａ，１２１９ａ…光出射面、１９ｂ，１１９ｂ，２１９ｂ，６１９ｂ，９１９ｂ，１４１９ｂ，１５１９ｂ…光入射面、１９ｃ，１１９ｃ，６１９ｃ，７１９ｃ，８１９ｃ，１０１９ｃ，１１１９ｃ，１２１９ｃ…反対板面、２０，１２０，２２０，３２０，４２０，５２０，６２０，７２０，８２０，９２０，１０２０，１１２０，１２２０…反射シート（反射部材）、２０ａ，１２０ａ，２２０ａ，６２０ａ，７２０ａ，８２０ａ，９２０ａ，１０２０ａ，１１２０ａ，１２２０ａ…延出反射部、２２，１０２２，１３２２…基板側コネクタ（給電部）、２３，１０２３，１３２３…配線側コネクタ（給電部）、２８，１２８，２２８，６２８，９２８，１０２８，１３２８…シャーシ側開口部（開口部）、３０，１３０，２３０，６３０，７３０，８３０，１０３０…導光板非支持部、３１，７３１，８３１…導光板支持部、３２，１３２，２３２，３３２，４３２，５３２，６３２，７３２，８３２，１０３２，１１３２，１２３２，１４３２，１５３２…切欠部、３８，１１３８…補強リブ（凹状部）、３９，８３９，１１３９，１２３９…変形部、４０，１１４０…第２の導光板非支持部（導光板非支持部）、４１，１２４１…基板取付部（凹状部）、４２，１２４２…基板ＴＶ…テレビ受信装置
【図１】
2015011859.tif 000003
【図２】
2015011859.tif 000004
【図３】
2015011859.tif 000005
【図４】
2015011859.tif 000006
【図５】
2015011859.tif 000007
【図６】
2015011859.tif 000008
【図７】
2015011859.tif 000009
【図８】
2015011859.tif 000010
【図９】
2015011859.tif 000011
【図１０】
2015011859.tif 000012
【図１１】
2015011859.tif 000013
【図１２】
2015011859.tif 000014
【図１３】
2015011859.tif 000015
【図１４】
2015011859.tif 000016
【図１５】
2015011859.tif 000017
【図１６】
2015011859.tif 000018
【図１７】
2015011859.tif 000019
【図１８】
2015011859.tif 000020
【図１９】
2015011859.tif 000021
【図２０】
2015011859.tif 000022
【図２１】
2015011859.tif 000023
【図２２】
2015011859.tif 000024
【図２３】
2015011859.tif 000025
【図２４】
2015011859.tif 000026
【図２５】
2015011859.tif 000027
【図２６】
2015011859.tif 000028
【図２７】
2015011859.tif 000029
【図２８】
2015011859.tif 000030
【図２９】
2015011859.tif 000031
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
光源と、
板状をなす導光板であって、少なくとも一端面が前記光源からの光が入射される光入射面とされ、一方の板面が光を出射させる光出射面とされ、さらには他方の板面が前記光出射面とは反対側の反対板面とされる導光板と、
前記導光板を前記反対板面側から支持する導光板支持部と、前記導光板を前記反対板面側から支持しない導光板非支持部とを有してなる底板部を有するシャーシと、
前記導光板の前記反対板面と前記シャーシの前記底板部との間に介在する形で配されるとともに前記導光板からの光を前記光出射面側に反射させる反射部材であって、前記導光板の前記光入射面よりも前記光源側に延出する延出反射部を有するとともに、前記延出反射部のうち前記導光板非支持部と重畳する部分の少なくとも一部を切り欠いて形成される切欠部を有する反射部材と、を備えており、
前記導光板支持部は、前記導光板及び前記反射部材を共に支持するのに対し、前記導光板非支持部は、前記導光板及び前記反射部材を共に支持しないものとされる照明装置。
【請求項２】
前記反射部材は、前記切欠部の切欠縁部が前記光入射面と面一状または前記光入射面よりも前記光源側とは反対側に配されるよう形成されている請求項１記載の照明装置。
【請求項３】
前記反射部材は、前記切欠部の切欠縁部が前記光入射面よりも前記光源側とは反対側に配されるよう形成されている請求項２記載の照明装置。
【請求項４】
前記導光板非支持部は、その端部が前記光入射面よりも前記光源側とは反対側に配されるよう形成されており、
前記反射部材は、前記切欠部の切欠縁部が前記導光板非支持部の前記端部よりも前記光入射面側に配されるよう形成されている請求項２または請求項３記載の照明装置。
【請求項５】
前記反射部材は、前記光入射面に沿う方向についての前記切欠部の寸法が前記光源から遠ざかるに連れて連続的に小さくなるよう形成されている請求項１から請求項４のいずれか１項に記載の照明装置。
【請求項６】
前記反射部材は、前記光入射面に沿う方向についての前記切欠部の形成範囲が前記導光板非支持部における同形成範囲よりも広くなるよう形成されている請求項５記載の照明装置。
【請求項７】
前記反射部材は、前記光入射面に沿う方向についての前記切欠部の形成範囲が、前記切欠部における前記光源から前記光入射面に向かう方向についての形成範囲よりも広くなるよう形成されている請求項１から請求項６のいずれか１項に記載の照明装置。
【請求項８】
前記導光板非支持部は、前記底板部に開口する開口部からなる請求項１から請求項７のいずれか１項に記載の照明装置。
【請求項９】
前記光源が実装された光源基板と、前記光源基板の前記光源に給電するための給電部とを備えており、
前記底板部は、前記開口部が前記給電部を外部に露出させるよう形成されている請求項８記載の照明装置。
【請求項１０】
前記光源基板は、前記光源が実装される光源実装部と、前記光出射面側から前記反対板面側に向かう方向に沿って前記光源実装部から突出するとともに前記給電部が配される給電用突出部とを有しており、
前記底板部は、前記開口部が前記給電部及び前記給電用突出部を外部に露出させるよう形成されている請求項９記載の照明装置。
【請求項１１】
前記底板部は、前記開口部の開口縁部が前記光入射面よりも前記光源側とは反対側に配されるよう形成されている請求項１０記載の照明装置。
【請求項１２】
前記導光板非支持部は、前記底板部を前記導光板側とは反対側に凹ませることで形成された凹状部と、前記底板部のうち前記凹状部に隣り合うとともに前記導光板の前記反対板面との間の距離が前記導光板支持部における同距離よりも相対的に大きな変形部と、からなる請求項１から請求項７のいずれか１項に記載の照明装置。
【請求項１３】
前記底板部に対して前記導光板側とは反対側に配されるとともに前記凹状部に取り付けられる基板を備える請求項１２記載の照明装置。
【請求項１４】
請求項１から請求項１３のいずれか１項に記載された照明装置と、前記照明装置からの光を利用して画像を表示する表示パネルを備える表示装置。
【請求項１５】
請求項１４に記載された表示装置を備えるテレビ受信装置。